(57)【要約】【課題】ヘッド装置およびディスク装置の衝撃対策を行う。【解決手段】メディアの信号の読取りまたはメディアに対する信号の書込みもしくは書換えもしくは消去の何れか一つ以上が実行可能とされたヘッド主体部５１を備えるヘッド装置５０であって、ヘッド主体部５１に衝撃が加えられるときに衝撃を緩和させる緩衝部１，２がヘッド主体部５１に設けられたことにより、衝撃対策が行われた光ヘッド装置５０の提供が可能となる。また、緩衝部１，２を有するヘッド装置５０と、ヘッド装置５０を移動可能に支える軸部材６１，６２と、ヘッド装置５０の移動範囲を制限させる停止部材７１，７２とを備えるディスク装置１００を構成させることにより、衝撃対策が行われた光ヘッド装置５０を備えるディスク装置１００の提供が可能となる。【選択図】図４
2008135154.tif 000002
【特許請求の範囲】
【請求項１】
メディアの信号の読取りまたは該メディアに対する信号の書込みもしくは書換えもしくは消去の何れか一つ以上が実行可能とされたヘッド主体部を備えるヘッド装置であって、
前記ヘッド主体部に衝撃が加えられるときに該衝撃を緩和させる緩衝部が該ヘッド主体部に設けられた
ことを特徴とするヘッド装置。
【請求項２】
前記緩衝部は、前記衝撃を吸収する弾性部材を備える
ことを特徴とする請求項１に記載のヘッド装置。
【請求項３】
前記弾性部材として、弾性に優れるコイルばねが用いられた
ことを特徴とする請求項２に記載のヘッド装置。
【請求項４】
前記緩衝部は、前記衝撃を直接受ける衝撃受け部材を備える
ことを特徴とする請求項１〜３の何れか１項に記載のヘッド装置。
【請求項５】
前記衝撃受け部材として、前記ヘッド主体部の表面部よりも突出可能なブッシュが用いられた
ことを特徴とする請求項４に記載のヘッド装置。
【請求項６】
前記ヘッド主体部は、該ヘッド主体部を移動可能に支える軸部材が挿通可能な軸受部を備え、該軸受部に前記緩衝部が備えられた
ことを特徴とする請求項１〜５の何れか１項に記載のヘッド装置。
【請求項７】
前記軸部材として、棒状のスライドシャフトが用いられ、該スライドシャフトに対応した孔状の滑り軸受部が、前記軸受部に設けられた
ことを特徴とする請求項６に記載のヘッド装置。
【請求項８】
前記緩衝部は、
前記衝撃を吸収する弾性部材と、
該衝撃を直接受ける衝撃受け部材と、
前記ヘッド主体部を移動可能に支える軸部材が挿通可能な軸受部と、
を備え、
該弾性部材と該衝撃受け部材とを収納可能な該軸受部の収容部に、該弾性部材と該衝撃受け部材とが装備され、
該軸受部の該収容部を構成する内壁に該弾性部材が接すると共に、該弾性部材に該衝撃受け部材が接する
ことを特徴とする請求項１〜７の何れか１項に記載のヘッド装置。
【請求項９】
前記軸部材の長手方向に沿って前記ヘッド主体部が移動させられて、該ヘッド主体部の移動範囲を制限させる該軸部材上の停止部材に、前記軸受部に装備された前記衝撃受け部材が衝突したときに、該衝撃受け部材に隣接する前記弾性部材が変形させられて、前記衝撃が緩和される
ことを特徴とする請求項８に記載のヘッド装置。
【請求項１０】
前記弾性部材は、第一端部と、該第一端部の反対側の端部とされる第二端部と、を備え、
前記衝撃受け部材は、第一端面部と、該第一端面部の反対側の端面部とされる第二端面部と、該第一端面部の反対側の端面部とされると共に該第二端面部よりも先に突出形成さ
れた第三端面部と、を備え、
前記軸受部は、前記収容部を形成する第一面部と、該第一面部の反対側の面部とされ該収容部を形成する第二面部と、該第二面部の反対側の面部とされると共に該軸受部の外面部を形成する第三面部と、を備え、
該軸受部の該収容部を形成する該第一面部に、該弾性部材の該第一端部が当接され、
該衝撃受け部材の該第一端面部に、該弾性部材の該第二端部が当接され、
該軸受部の該収容部を形成する該第二面部に、該衝撃受け部材の該第二端面部が当接され、
そのときに、該軸受部の該収容部の該第一面部と、該衝撃受け部材の該第一端面部との間に位置する該弾性部材に復元弾性力が発生されて、該衝撃受け部材の該第三端面部は、該軸受部の該第三面部よりも外側に位置する
ことを特徴とする請求項８又は９に記載のヘッド装置。
【請求項１１】
前記ヘッド主体部の移動範囲を制限させる前記軸部材上の停止部材の停止面部に、該ヘッド主体部の前記軸受部に装備された前記衝撃受け部材の前記第三端面部が衝突して、該衝撃受け部材が該軸受部の前記収容部内に向けて押動させられたときに、該軸受部の該収容部の前記第一面部と、該衝撃受け部材の前記第一端面部との間に位置し、該衝撃受け部材の該第一端面部に当接された圧縮状態の前記弾性部材がさらに圧縮変形させられることにより、該弾性部材に前記衝撃が吸収される
ことを特徴とする請求項１０に記載のヘッド装置。
【請求項１２】
持運びが容易なコンピュータに装備可能とされた
ことを特徴とする請求項１〜１１の何れか１項に記載のヘッド装置。
【請求項１３】
請求項１〜１２の何れか１項に記載のヘッド装置と、
該ヘッド装置を移動可能に支える軸部材と、
該ヘッド装置の移動範囲を制限させる停止部材と、
を少なくとも備える
ことを特徴とするディスク装置。
【請求項１４】
少なくともメディアの信号の読取りが実行可能とされたヘッド装置を有するディスク装置であって、
前記ヘッド装置に衝撃が加えられるときに該衝撃を緩和させる緩衝部を少なくとも備える
ことを特徴とするディスク装置。
【請求項１５】
持運びが容易なコンピュータに装備可能とされた
ことを特徴とする請求項１３又は１４に記載のディスク装置。
【発明の詳細な説明】
【技術分野】
【０００１】
本発明は、例えばディスク等のメディアに記録されたデータ、情報等の信号を再生させることや、ディスク等のメディアにデータ、情報等の信号を記録させることが可能なヘッド装置およびディスク装置に関するものである。
【背景技術】
【０００２】
光ヘッドいわゆる光ピックアップを備える光ディスク装置について記載されたものとして、例えば、発熱部品の性能低下や寿命劣化、誤動作の防止対策が行われた光ピックアップおよびこれを用いたディスク装置というものがある（例えば、特許文献１参照。）。
【０００３】
また、ヘッドのリードスクリューについて記載されたものとして、例えば、キャリッジ片寄せばねと、リードスクリュー押えばねとを１本のばねで兼用させることができ、リードスクリュー駆動モータの負荷トルクの変動を少なくできるようにさせたヘッド移動装置というものがある（例えば、特許文献２参照。）。
【０００４】
また、光ヘッドいわゆる光ピックアップのラックについて記載されたものとして、例えば、モータの制御ができなくなってモータがある回転方向に回転を続けたときに、ウォームギアがヘリカルギアに食い込んで機械的にデッドロック状態となることを防止させた送り機構及び光ピックアップ送り機構というものがある（例えば、特許文献３参照。）。
【０００５】
昨今、ＣＤ（Compact Disc）（商標）系列のディスクや、ＤＶＤ（登録商標）（Digital Versatile Disc）系列のディスクや、「Blu-ray Disc」（登録商標）系列のディスクなどの各種ディスクが商品化されている（図示せず）。光ディスクは、光ヘッド装置が内装された光ディスク装置に装備されて用いられる。光ディスクに記録されたデータ／情報の読出しは、光ディスク装置内の光ヘッド装置により行われる。また、光ディスク装置内の光ヘッド装置により、光ディスクに対するデータ／情報の書込み／書換え／消去が行われる。
【０００６】
光ディスクに記録されたデータ／情報を読み出させたり、光ディスクにデータ／情報を書き込ませたりする光ヘッド装置は、各種光学部品をはじめとして数多くの基幹部品で構成されている。光ヘッド装置が複雑化されることに伴って、光ヘッド装置などを光ディスク装置に組み込む作業を行うドライブメーカから、光ヘッド装置に対する強度保証の要求が出される。光ヘッド装置に対するドライブメーカの強度保証のレベルは、年々、厳しくなる傾向にある。また、一方では光ヘッド装置に対するドライブメーカの価格低減化の要求も出されている。
【０００７】
一般に、光ヘッド装置は、光ディスク装置内において、２本のスライドシャフトに移動可能に組み付けられている。また、光ヘッド装置は、光ディスク装置に設けられたギアラックを介して、送りモータ側の各部品と連動可能な状態とされている。光ヘッド装置に設けられたギアラックと、送りモータからの駆動力を伝えるリードスクリューとの連動は、光ヘッド装置のラック部等がリードスクリューのリード部に押し付けられ、この状態において、光ヘッド装置のラック部等と、リードスクリューのリード部とが噛み合わせられ、送りモータの回動によるリードスクリューの回動により、光ディスク装置内にて光ヘッド装置が移動する。
【特許文献１】特開２００４−１４５９２１号公報（第１，４頁、第１−７図）
【特許文献２】実開平２−７２４７０号公報（第５頁、第１−５図）
【特許文献３】特開２００１−１６７５３５号公報（第１−２頁、第１，２図）
【発明の開示】
【発明が解決しようとする課題】
【０００８】
しかしながら、上記従来の光ヘッド装置を備える光ディスク装置にあっては、光ヘッド装置などを光ディスク装置に組み込む作業を行うドライブメーカにとって、必ずしも落下衝撃に対する強度が満足なものとされていなかった。
【０００９】
例えば、供給先の数社の光ディスク装置が用いられて落下衝撃試験が実施されると、光ヘッド装置に加えられる衝撃値は各社ごとに差があり、光ヘッド装置の強化に対する狙いどころが不明確な状況にある。また、光ヘッド装置において、光学部品を含む基幹部品などがハウジングに固定されるときに、基本的に接着剤が使用されるため、光ヘッド装置に加えられる落下衝撃に対応しようとしても、光ヘッド装置の物理的な破壊強度の向上に限界がある。さらに、光ヘッド装置に落下衝撃が加えられた場合、光ヘッド装置の性能が維持され難くなることが懸念される。光ヘッド装置に落下衝撃が加えられた場合、数μｍの光学系の変化が、光ヘッド装置の性能劣化に繋がる懸念もある。
【００１０】
ドライブメーカとしても、落下衝撃時の光ヘッド装置の保護対策として、送り機構を構成するギアラック等に改良を加え、多少なりとも衝撃エネルギの吸収を向上させた光ヘッド装置を備える光ディスク装置の開発に注力している。しかしながら、ギアラック等に改良を加えて衝撃エネルギの吸収を向上させた光ヘッド装置を備える光ディスク装置においても、ドライブメーカが要求する落下衝撃特性は、満足なものとされなかった。ギアラック等に様々な落下衝撃対策が行われた光ヘッド装置を備える光ディスク装置が落下衝撃試験にかけられても、実際には、衝撃エネルギを吸収させる効果が薄いのが実情である。
【００１１】
例えば、光ディスク装置の落下衝撃試験が行われたときに、光ディスク装置内のリードスクリューのリード部に噛み合わせられたギアラック等は、衝撃によりリードスクリューから外れる。そのときに、光ヘッド装置は、光ヘッド装置の移動可能範囲の一端側とされる光ディスク最内周側対応位置のストッパに激突する。又は、光ヘッド装置は、光ヘッド装置の移動可能範囲の他端側とされる光ディスク最外周側対応位置のストッパに激突する。落下衝撃試験が行われて、光ヘッド装置が光ディスク装置のストッパに激突したときに、例えば１０００Ｇを超える衝撃エネルギが光ヘッド装置に加えられる。このようなことに対応するために、一般的に、光ヘッド装置を可能な限り強化させるという対策がとられる。しかしながら、実際には、光ヘッド装置の強化対策には限界がある。
【００１２】
また、最近の光ヘッド装置には、各種光ディスクに対応可能な光ヘッド装置とさせることが要求されている。そのため、光ヘッド装置を構成する部品点数が増加される傾向にある。光ヘッド装置の部品点数が増加されるのに伴って、光ヘッド装置の強度アップが難しくなる傾向にある。また、部品点数が増加されても光ヘッドの価格上昇をなるべく抑えることを要求されることもある。
【００１３】
また、近年、ノート型パーソナルコンピュータ等が普及されつつある。ここで、パーソナルコンピュータ（ＰＣ：Personal Computer）について説明すると、ノート型ＰＣもしくはラップトップ型ＰＣは、軽量化、軽薄化が要求されることから、スリム型ドライブが装備された光ディスク装置を備える構造とされている。ノート型ＰＣもしくはラップトップ型ＰＣは、ディスプレイと、ＰＣ本体とが、一体構造のものとされ、ＰＣ本体に対し、ディスプレイが折りたたまれることにより、小型サイズのものとなる。ノート型ＰＣは、例えば、このものが折りたたまれて平面視されたときに略Ａ４判もしくはこれ以下の大きさの汎用ＰＣとされ、例えばブック型ＰＣとも呼ばれる。ノート型ＰＣもしくはラップトップ型ＰＣは、コンパクトなものとされて容易に持運び可能なものとされている。ノート型ＰＣもしくはラップトップ型ＰＣに対し、デスクトップ型コンピュータは、卓上型のコ
ンピュータとされ、机の上で使用可能なコンピュータとされているが、容易に持運びができないタイプのものとされている。
【００１４】
ノート型ＰＣ等の普及に伴い、ノート型ＰＣ等の使用者とされる顧客にて、ノート型ＰＣ等の落下トラブルが増加する傾向にある。こうした背景に基づき、ノート型ＰＣ等を構成するドライブ本体の強化に限らず、光ヘッド装置に対しても、さらなる強度アップが要求されている。
【００１５】
このようなことから、光ヘッド装置が受ける衝撃エネルギを緩和させ、光ヘッド装置の基本性能を確保させるための方策が必要となってくる。
【００１６】
本発明は、上記した問題点を解決することにある。本発明は、上記した点に鑑み、衝撃対策が行われたヘッド装置およびディスク装置を提供することを目的とする。
【課題を解決するための手段】
【００１７】
上記目的を達成するために、本発明の請求項１に係るヘッド装置は、メディアの信号の読取りまたは該メディアに対する信号の書込みもしくは書換えもしくは消去の何れか一つ以上が実行可能とされたヘッド主体部を備えるヘッド装置であって、前記ヘッド主体部に衝撃が加えられるときに該衝撃を緩和させる緩衝部が該ヘッド主体部に設けられたことを特徴とする。
【００１８】
上記構成により、ヘッド主体部を備えるヘッド装置に衝撃が加えられても、ヘッド装置のヘッド主体部に設けられた緩衝部により、衝撃は緩和される。メディアとは、例えば情報などが保存されるものを意味する。従来のヘッド装置に衝撃が加えられると、ヘッド装置に不具合が生じることが懸念されていた。しかしながら、ヘッド主体部に衝撃が加えられるときに衝撃を緩和させる緩衝部がヘッド装置のヘッド主体部に設けられていれば、衝撃が直接ヘッド主体部に加えられるということは回避される。従って、衝撃対策が行われたヘッド装置の提供が可能となる。
【００１９】
請求項２に係るヘッド装置は、請求項１に記載のヘッド装置において、前記緩衝部は、前記衝撃を吸収する弾性部材を備えることを特徴とする。
【００２０】
上記構成により、ヘッド主体部を備えるヘッド装置に衝撃が加えられても、ヘッド主体部に加えられる衝撃は緩和される。ヘッド主体部に衝撃が加えられるときに、衝撃は、ヘッド装置のヘッド主体部に設けられた緩衝部の弾性部材に吸収されるので、衝撃によりヘッド主体部が損傷するということは回避される。
【００２１】
請求項３に係るヘッド装置は、請求項２に記載のヘッド装置において、前記弾性部材として、弾性に優れるコイルばねが用いられたことを特徴とする。
【００２２】
上記構成により、ヘッド主体部を備えるヘッド装置に衝撃が加えられても、衝撃は、ヘッド装置のヘッド主体部に設けられた緩衝部のコイルばねによって確実に吸収される。弾性に優れるコイルばねが、ヘッド装置のヘッド主体部に設けられた緩衝部に備えられることにより、コイルばねによって確実に衝撃が吸収されることとなる。
【００２３】
請求項４に係るヘッド装置は、請求項１〜３の何れか１項に記載のヘッド装置において、前記緩衝部は、前記衝撃を直接受ける衝撃受け部材を備えることを特徴とする。
【００２４】
上記構成により、ヘッド主体部を備えるヘッド装置に衝撃が加えられても、ヘッド主体部に加えられる衝撃は緩和される。ヘッド主体部に衝撃が加えられるときに、ヘッド装置
のヘッド主体部に設けられた緩衝部の衝撃受け部材が直接衝撃を受けるので、ヘッド主体部に衝撃が直接加えられるということは回避される。
【００２５】
請求項５に係るヘッド装置は、請求項４に記載のヘッド装置において、前記衝撃受け部材として、前記ヘッド主体部の表面部よりも突出可能なブッシュが用いられたことを特徴とする。
【００２６】
上記構成により、ヘッド主体部を備えるヘッド装置に衝撃が加えられても、ヘッド装置のヘッド主体部に設けられた緩衝部のブッシュが直接衝撃を受ける。ヘッド主体部の表面部よりもブッシュが突出されていれば、ブッシュが直接衝撃を受けることとなる。
【００２７】
請求項６に係るヘッド装置は、請求項１〜５の何れか１項に記載のヘッド装置において、前記ヘッド主体部は、該ヘッド主体部を移動可能に支える軸部材が挿通可能な軸受部を備え、該軸受部に前記緩衝部が備えられたことを特徴とする。
【００２８】
上記構成により、ヘッド主体部を備えるヘッド装置に対し、軸部材の長手方向に略沿った方向に衝撃が加えられても、ヘッド主体部に加えられる衝撃は緩和される。ヘッド装置のヘッド主体部を移動可能に支える軸部材は、ヘッド主体部の軸受部に挿通される。軸部材が挿通可能な軸受部に衝撃を緩和させる緩衝部が備えられているので、ヘッド装置のヘッド主体部が軸部材上を移動しているときに、軸部材上のものにヘッド装置が衝突し、これに伴って、ヘッド装置を構成するヘッド主体部に衝撃が加えられようとされても、そのときの衝撃は、ヘッド装置のヘッド主体部の軸受部に備えられた緩衝部によって緩和される。
【００２９】
請求項７に係るヘッド装置は、請求項６に記載のヘッド装置において、前記軸部材として、棒状のスライドシャフトが用いられ、該スライドシャフトに対応した孔状の滑り軸受部が、前記軸受部に設けられたことを特徴とする。
【００３０】
上記構成により、ヘッド主体部を備えるヘッド装置に対し、棒状のスライドシャフトの長手方向に略沿った方向に衝撃が加えられても、ヘッド主体部に加えられる衝撃は緩和される。ヘッド装置のヘッド主体部の軸受部に設けられた滑り軸受部に、棒状のスライドシャフトが合わせられて、ヘッド主体部を備えるヘッド装置は、棒状のスライドシャフトの長手方向に沿った方向に移動可能となる。棒状のスライドシャフトの長手方向に沿った方向の衝撃が、ヘッド装置のヘッド主体部に加えられようとされても、そのときの衝撃は、ヘッド装置のヘッド主体部の軸受部に備えられた緩衝部によって緩和されることとなる。
【００３１】
請求項８に係るヘッド装置は、請求項１〜７の何れか１項に記載のヘッド装置において、前記緩衝部は、前記衝撃を吸収する弾性部材と、該衝撃を直接受ける衝撃受け部材と、前記ヘッド主体部を移動可能に支える軸部材が挿通可能な軸受部と、を備え、該弾性部材と該衝撃受け部材とを収納可能な該軸受部の収容部に、該弾性部材と該衝撃受け部材とが装備され、該軸受部の該収容部を構成する内壁に該弾性部材が接すると共に、該弾性部材に該衝撃受け部材が接することを特徴とする。
【００３２】
上記構成により、ヘッド主体部を備えるヘッド装置に衝撃が加えられても、ヘッド主体部に加えられる衝撃は、確実に緩和される。ヘッド主体部に加えられる衝撃を緩和させるために、衝撃を吸収する弾性部材と、衝撃を直接受ける衝撃受け部材と、ヘッド主体部を移動可能に支える軸部材が挿通可能な軸受部とを備える緩衝部が、ヘッド主体部に設けられ、弾性部材と衝撃受け部材とを収納可能な軸受部の収容部に、弾性部材と衝撃受け部材とが装備され、軸受部の収容部を構成する内壁に弾性部材が接すると共に、弾性部材に衝撃受け部材が接する構造のヘッド装置が構成されていれば、衝撃受け部材に衝撃が加えら
れても、衝撃は、衝撃受け部材と、軸受部の収容部を構成する内壁とに接する弾性部材に、確実に吸収される。
【００３３】
請求項９に係るヘッド装置は、請求項８に記載のヘッド装置において、前記軸部材の長手方向に沿って前記ヘッド主体部が移動させられて、該ヘッド主体部の移動範囲を制限させる該軸部材上の停止部材に、前記軸受部に装備された前記衝撃受け部材が衝突したときに、該衝撃受け部材に隣接する前記弾性部材が変形させられて、前記衝撃が緩和されることを特徴とする。
【００３４】
上記構成により、ヘッド主体部を備えるヘッド装置に衝撃が加えられても、ヘッド主体部に加えられる衝撃は、確実に緩和される。軸部材の長手方向に沿ってヘッド装置を構成するヘッド主体部が移動させられたときに、ヘッド主体部の移動範囲を制限させる軸部材上の停止部材に、軸受部に装備された衝撃受け部材が衝突した場合、衝撃受け部材に隣接する弾性部材が変形させられる。弾性部材が変形させられることにより、ヘッド主体部に加えられる衝撃が確実に緩和されることとなる。
【００３５】
請求項１０に係るヘッド装置は、請求項８又は９に記載のヘッド装置において、前記弾性部材は、第一端部と、該第一端部の反対側の端部とされる第二端部と、を備え、前記衝撃受け部材は、第一端面部と、該第一端面部の反対側の端面部とされる第二端面部と、該第一端面部の反対側の端面部とされると共に該第二端面部よりも先に突出形成された第三端面部と、を備え、前記軸受部は、前記収容部を形成する第一面部と、該第一面部の反対側の面部とされ該収容部を形成する第二面部と、該第二面部の反対側の面部とされると共に該軸受部の外面部を形成する第三面部と、を備え、該軸受部の該収容部を形成する該第一面部に、該弾性部材の該第一端部が当接され、該衝撃受け部材の該第一端面部に、該弾性部材の該第二端部が当接され、該軸受部の該収容部を形成する該第二面部に、該衝撃受け部材の該第二端面部が当接され、そのときに、該軸受部の該収容部の該第一面部と、該衝撃受け部材の該第一端面部との間に位置する該弾性部材に復元弾性力が発生されて、該衝撃受け部材の該第三端面部は、該軸受部の該第三面部よりも外側に位置することを特徴とする。
【００３６】
上記構成により、ヘッド装置を構成するヘッド主体部の緩衝部に衝撃が加えられても、ヘッド主体部に加えられる衝撃は、確実に緩和される。衝撃を直接受ける衝撃受け部材と、衝撃受け部材に当接し衝撃を吸収する弾性部材と、弾性部材に当接しヘッド主体部を移動可能に支える軸部材が挿通可能な軸受部とにより、ヘッド主体部の緩衝部が構成され、衝撃受け部材と、弾性部材とを収納可能な軸受部の収容部に、衝撃受け部材と、復元弾性力が発生された弾性部材とが、それぞれ当接した状態で装備されることにより、ヘッド主体部の緩衝部の衝撃受け部材に加えられる衝撃は、復元弾性力が発生された弾性部材にて確実に緩和される。
【００３７】
請求項１１に係るヘッド装置は、請求項１０に記載のヘッド装置において、前記ヘッド主体部の移動範囲を制限させる前記軸部材上の停止部材の停止面部に、該ヘッド主体部の前記軸受部に装備された前記衝撃受け部材の前記第三端面部が衝突して、該衝撃受け部材が該軸受部の前記収容部内に向けて押動させられたときに、該軸受部の該収容部の前記第一面部と、該衝撃受け部材の前記第一端面部との間に位置し、該衝撃受け部材の該第一端面部に当接された圧縮状態の前記弾性部材がさらに圧縮変形させられることにより、該弾性部材に前記衝撃が吸収されることを特徴とする。
【００３８】
上記構成により、ヘッド装置を構成するヘッド主体部の緩衝部に衝撃が加えられても、ヘッド主体部に加えられる衝撃は、圧縮変形させられた弾性部材によって確実に吸収される。軸部材の長手方向に沿ってヘッド装置を構成するヘッド主体部が移動させられたとき
に、ヘッド主体部の移動範囲を制限させる軸部材上の停止部材に、軸受部に装備された衝撃受け部材が衝突した場合、衝撃受け部材に当接された圧縮状態の弾性部材がさらに圧縮変形させられる。圧縮状態の弾性部材がさらに圧縮変形させられることにより、ヘッド主体部に加えられる衝撃は、圧縮変形させられた弾性部材によって確実に吸収されることとなる。
【００３９】
請求項１２に係るヘッド装置は、請求項１〜１１の何れか１項に記載のヘッド装置において、持運びが容易なコンピュータに装備可能とされたことを特徴とする。
【００４０】
上記構成により、持運びの容易なコンピュータが不用意に落下され、これに起因して、持運びの容易なコンピュータに装備されたヘッド装置に不具合が生じるということは、回避され易くなる。衝撃対策が行われたヘッド装置が持運びの容易なコンピュータに装備されていれば、コンピュータの落下に伴ったヘッド装置の不具合は、発生され難くなる。
【００４１】
請求項１３に係るディスク装置は、請求項１〜１２の何れか１項に記載のヘッド装置と、該ヘッド装置を移動可能に支える軸部材と、該ヘッド装置の移動範囲を制限させる停止部材と、を少なくとも備えることを特徴とする。
【００４２】
上記構成により、ヘッド装置に対し、軸部材の長手方向に略沿った方向に衝撃が加えられても、ヘッド装置のヘッド主体部に設けられた緩衝部により、ヘッド主体部に加えられる衝撃は緩和される。軸部材の長手方向に沿ってヘッド装置が移動させられたときに、ヘッド装置の移動範囲を制限させる停止部材にヘッド装置が衝突した場合、ヘッド装置のヘッド主体部に設けられた緩衝部により、ヘッド主体部に加えられる衝撃は緩和される。従って、衝撃対策が行われたヘッド装置を備えるディスク装置の提供が可能となる。
【００４３】
請求項１４に係るディスク装置は、少なくともメディアの信号の読取りが実行可能とされたヘッド装置を有するディスク装置であって、前記ヘッド装置に衝撃が加えられるときに該衝撃を緩和させる緩衝部を少なくとも備えることを特徴とする。
【００４４】
上記構成により、ヘッド装置に衝撃が加えられても、緩衝部により衝撃が緩和される。従来のディスク装置のヘッド装置に衝撃が加えられると、ヘッド装置に不具合が生じることが懸念されていた。しかしながら、ヘッド装置に衝撃が加えられるときに衝撃を緩和させる緩衝部がディスク装置に備えられているので、衝撃が直接ヘッド装置に加えられるということは回避される。従って、ヘッド装置の衝撃対策が行われたディスク装置の提供が可能となる。
【００４５】
請求項１５に係るディスク装置は、請求項１３又は１４に記載のディスク装置において、持運びが容易なコンピュータに装備可能とされたことを特徴とする。
【００４６】
上記構成により、持運びの容易なコンピュータが不用意に落下され、これに起因して、持運びの容易なコンピュータに装備されたヘッド装置を備えるディスク装置に不具合が生じるということは、回避され易くなる。衝撃対策が行われたヘッド装置を備えるディスク装置が持運びの容易なコンピュータに装備されていれば、コンピュータの落下に伴ったヘッド装置を備えるディスク装置の不具合発生は、回避され易くなる。
【発明の効果】
【００４７】
以上の如く、請求項１に記載の発明によれば、ヘッド主体部を備えるヘッド装置に衝撃が加えられても、ヘッド装置のヘッド主体部に設けられた緩衝部により、衝撃を緩和させることができる。従来のヘッド装置に衝撃が加えられると、ヘッド装置に不具合が生じることが懸念されていた。しかしながら、ヘッド主体部に衝撃が加えられるときに衝撃を緩
和させる緩衝部がヘッド装置のヘッド主体部に設けられていれば、衝撃が直接ヘッド主体部に加えられるということは回避される。従って、衝撃対策が行われたヘッド装置を提供することができる。
【００４８】
請求項２に記載の発明によれば、ヘッド主体部を備えるヘッド装置に衝撃が加えられても、ヘッド主体部に加えられる衝撃を緩和させることができる。ヘッド主体部に衝撃が加えられるときに、衝撃は、ヘッド装置のヘッド主体部に設けられた緩衝部の弾性部材に吸収されるので、衝撃によりヘッド主体部が損傷するということを回避させることができる。
【００４９】
請求項３に記載の発明によれば、ヘッド主体部を備えるヘッド装置に衝撃が加えられても、衝撃は、ヘッド装置のヘッド主体部に設けられた緩衝部のコイルばねによって確実に吸収される。弾性に優れるコイルばねが、ヘッド装置のヘッド主体部に設けられた緩衝部に備えられることにより、コイルばねによって確実に衝撃が吸収される。
【００５０】
請求項４に記載の発明によれば、ヘッド主体部を備えるヘッド装置に衝撃が加えられても、ヘッド主体部に加えられる衝撃を緩和させることができる。ヘッド主体部に衝撃が加えられるときに、ヘッド装置のヘッド主体部に設けられた緩衝部の衝撃受け部材が直接衝撃を受けるので、ヘッド主体部に衝撃が直接加えられるということを回避させることができる。
【００５１】
請求項５に記載の発明によれば、ヘッド主体部を備えるヘッド装置に衝撃が加えられても、ヘッド装置のヘッド主体部に設けられた緩衝部のブッシュが直接衝撃を受ける。ヘッド主体部の表面部よりもブッシュが突出されていれば、ブッシュが直接衝撃を受ける。
【００５２】
請求項６に記載の発明によれば、ヘッド主体部を備えるヘッド装置に対し、軸部材の長手方向に略沿った方向に衝撃が加えられても、ヘッド主体部に加えられる衝撃を緩和させることができる。ヘッド装置のヘッド主体部を移動可能に支える軸部材は、ヘッド主体部の軸受部に挿通される。軸部材が挿通可能な軸受部に衝撃を緩和させる緩衝部が備えられているので、ヘッド装置のヘッド主体部が軸部材上を移動しているときに、軸部材上のものにヘッド装置が衝突し、これに伴って、ヘッド装置を構成するヘッド主体部に衝撃が加えられようとされても、そのときの衝撃は、ヘッド装置のヘッド主体部の軸受部に備えられた緩衝部によって緩和される。
【００５３】
請求項７に記載の発明によれば、ヘッド主体部を備えるヘッド装置に対し、棒状のスライドシャフトの長手方向に略沿った方向に衝撃が加えられても、ヘッド主体部に加えられる衝撃は緩和される。ヘッド装置のヘッド主体部の軸受部に設けられた滑り軸受部に、棒状のスライドシャフトが合わせられて、ヘッド主体部を備えるヘッド装置は、棒状のスライドシャフトの長手方向に沿った方向に移動可能となる。棒状のスライドシャフトの長手方向に沿った方向の衝撃が、ヘッド装置のヘッド主体部に加えられようとされても、そのときの衝撃は、ヘッド装置のヘッド主体部の軸受部に備えられた緩衝部によって緩和される。
【００５４】
請求項８に記載の発明によれば、ヘッド主体部を備えるヘッド装置に衝撃が加えられても、ヘッド主体部に加えられる衝撃を確実に緩和させることができる。ヘッド主体部に加えられる衝撃を緩和させるために、衝撃を吸収する弾性部材と、衝撃を直接受ける衝撃受け部材と、ヘッド主体部を移動可能に支える軸部材が挿通可能な軸受部とを備える緩衝部が、ヘッド主体部に設けられ、弾性部材と衝撃受け部材とを収納可能な軸受部の収容部に、弾性部材と衝撃受け部材とが装備され、軸受部の収容部を構成する内壁に弾性部材が接すると共に、弾性部材に衝撃受け部材が接する構造のヘッド装置が構成されていれば、衝
撃受け部材に衝撃が加えられても、衝撃は、衝撃受け部材と、軸受部の収容部を構成する内壁とに接する弾性部材に、確実に吸収される。
【００５５】
請求項９に記載の発明によれば、ヘッド主体部を備えるヘッド装置に衝撃が加えられても、ヘッド主体部に加えられる衝撃を確実に緩和させることができる。軸部材の長手方向に沿ってヘッド装置を構成するヘッド主体部が移動させられたときに、ヘッド主体部の移動範囲を制限させる軸部材上の停止部材に、軸受部に装備された衝撃受け部材が衝突した場合、衝撃受け部材に隣接する弾性部材が変形させられる。弾性部材が変形させられることにより、ヘッド主体部に加えられる衝撃が確実に緩和される。
【００５６】
請求項１０に記載の発明によれば、ヘッド装置を構成するヘッド主体部の緩衝部に衝撃が加えられても、ヘッド主体部に加えられる衝撃を確実に緩和させることができる。衝撃を直接受ける衝撃受け部材と、衝撃受け部材に当接し衝撃を吸収する弾性部材と、弾性部材に当接しヘッド主体部を移動可能に支える軸部材が挿通可能な軸受部とにより、ヘッド主体部の緩衝部が構成され、衝撃受け部材と、弾性部材とを収納可能な軸受部の収容部に、衝撃受け部材と、復元弾性力が発生された弾性部材とが、それぞれ当接した状態で装備されることにより、ヘッド主体部の緩衝部の衝撃受け部材に加えられる衝撃は、復元弾性力が発生された弾性部材にて確実に緩和される。
【００５７】
請求項１１に記載の発明によれば、ヘッド装置を構成するヘッド主体部の緩衝部に衝撃が加えられても、ヘッド主体部に加えられる衝撃は、圧縮変形させられた弾性部材によって確実に吸収される。軸部材の長手方向に沿ってヘッド装置を構成するヘッド主体部が移動させられたときに、ヘッド主体部の移動範囲を制限させる軸部材上の停止部材に、軸受部に装備された衝撃受け部材が衝突した場合、衝撃受け部材に当接された圧縮状態の弾性部材がさらに圧縮変形させられる。圧縮状態の弾性部材がさらに圧縮変形させられることにより、ヘッド主体部に加えられる衝撃は、圧縮変形させられた弾性部材によって確実に吸収される。
【００５８】
請求項１２に記載の発明によれば、持運びの容易なコンピュータが不用意に落下され、これに起因して、持運びの容易なコンピュータに装備されたヘッド装置に不具合が生じるということを、回避させ易くすることができる。衝撃対策が行われたヘッド装置が持運びの容易なコンピュータに装備されていれば、コンピュータの落下に伴ったヘッド装置の不具合は、発生され難くなる。
【００５９】
請求項１３に記載の発明によれば、ヘッド装置に対し、軸部材の長手方向に略沿った方向に衝撃が加えられても、ヘッド装置のヘッド主体部に設けられた緩衝部により、ヘッド主体部に加えられる衝撃を緩和させることができる。軸部材の長手方向に沿ってヘッド装置が移動させられたときに、ヘッド装置の移動範囲を制限させる停止部材にヘッド装置が衝突した場合、ヘッド装置のヘッド主体部に設けられた緩衝部により、ヘッド主体部に加えられる衝撃は緩和される。従って、衝撃対策が行われたヘッド装置を備えるディスク装置を提供することができる。
【００６０】
請求項１４に記載の発明によれば、ヘッド装置に衝撃が加えられても、緩衝部により衝撃を緩和させることができる。従来のディスク装置のヘッド装置に衝撃が加えられると、ヘッド装置に不具合が生じることが懸念されていた。しかしながら、ヘッド装置に衝撃が加えられるときに衝撃を緩和させる緩衝部がディスク装置に備えられているので、衝撃が直接ヘッド装置に加えられるということは回避される。従って、ヘッド装置の衝撃対策が行われたディスク装置を提供することができる。
【００６１】
請求項１５に記載の発明によれば、持運びの容易なコンピュータが不用意に落下され、
これに起因して、持運びの容易なコンピュータに装備されたヘッド装置を備えるディスク装置に不具合が生じるということを、回避させ易くすることができる。衝撃対策が行われたヘッド装置を備えるディスク装置が持運びの容易なコンピュータに装備されていれば、コンピュータの落下に伴ったヘッド装置を備えるディスク装置の不具合発生は、回避され易くなる。
【発明を実施するための最良の形態】
【００６２】
以下に本発明に係るヘッド装置およびディスク装置の一実施の形態を図面に基づいて詳細に説明する。
【００６３】
図１〜図３は、本発明に係るヘッド装置の一実施の形態を示すものである。また、図４〜図１０は、本発明に係るディスク装置の一実施の形態を示すものである。
【００６４】
図１〜図３の如く、光ヘッド装置５０は、光ディスク（図示せず）の信号面部（図示せず）に絞り込んだレーザ光（LASER：light amplification by stimulated emission of radiation）を照射させる合成樹脂製またはガラス製の対物レンズ５と、対物レンズ５などの各種部品が装備される金属製または合成樹脂製のハウジング３とを備えて構成されている。また、光ヘッド装置５０（図８，図１０）は、モータ組立体８０を構成するリードスクリュー８４の回動力を往復駆動力に変えて光ヘッド装置５０の往復動を可能とさせる合成樹脂製の摺接部材４０を含む。
【００６５】
対物レンズ５（図１〜図４，図６，図７，図９）は、発光素子（図示せず）から出射されたレーザ光を絞り込んで光ディスクの信号面部へ集光させる役割を果す。対物レンズ（objective lens）は、「ＯＢＬ」と略称される。ＯＢＬ５は、レンズホルダ（詳細な輪郭線表示を省く）等の保持部材に装着されている。光ヘッド装置５０に装備された光学部材５としてＯＢＬ５が例示されているが、光ヘッド装置５０または光ディスク装置１００の設計／仕様などにより、例えばＯＢＬ５以外の他の光学部材が用いられてもよい。ＯＢＬ５を備えるレンズホルダは、複数のサスペンションワイヤ（図示せず）によって、移動可能に支持されている。また、各サスペンションワイヤは、制御基板（図示せず）に取り付けられている。
【００６６】
光ヘッド装置５０または光ディスク装置１００の設計／仕様などにより、例えば第一のＯＢＬ５に加えて、さらに第一のＯＢＬ５に並設される第二のＯＢＬ（図示せず）がレンズホルダに装備されてもよい。例えば二つ以上の複数のＯＢＬを備える光ヘッド装置（５０）も使用可能とされる。なお、この明細書において、符号に付けられた括弧（  ）は、図示されたものと若干異なるものを説明するために、便宜上、用いられている。
【００６７】
光ヘッド装置５０（図１〜図１０）を構成する光学素子等の各種部品（図示せず）は、金属製または合成樹脂製のハウジング３に装備される。ハウジング（housing）とは、例えば、装置、部品などの物が収容される箱形のものや、箱に類似したものを意味する。ハウジング３は、光学素子などの各種部品が装備されるハウジング本体３ｃと、ハウジング本体３ｃから突設され第一軸部材６１と移動可能に合わせられる一対の主軸用の軸受部３１，３２と、主軸用の軸受部３１，３２に対し反対側に向けてハウジング本体３ｃから突設され第二軸部材６２と移動可能に合わせられる副軸用の軸受部３９（図１，図２）とを備えて形成されている。主軸用の軸受部３１，３２と、副軸用の軸受部３９とは、ハウジング本体３ｃと一体成形されている。主軸用の軸受部３１，３２と、副軸用の軸受部３９と、ハウジング本体３ｃとは、同一の金属材料または同一の合成樹脂材料が用いられて一つのものとして形成されている。
【００６８】
略丸棒状の軸部材６１，６２（図４，図７〜図１０）の長手方向Ｄｒに略沿って光ヘッ
ド装置５０が移動するときに、第一軸受部３１（図３）を構成する略丸孔状の滑り軸受部３７の摺動面部３７ａと、略丸棒状の軸部材６１の表面部６１ａとが摺接する。また、略丸棒状の軸部材６１，６２（図４，図７〜図１０）の長手方向Ｄｒに略沿って光ヘッド装置５０が移動するときに、第一緩衝部１（図３）を構成する衝撃受け部材２１の略丸孔状の摺動面部２１ｆと、略丸棒状の軸部材６１の表面部６１ａとが摺接する。
【００６９】
また、略丸棒状の軸部材６１，６２（図４，図７〜図１０）の長手方向Ｄｒに略沿って光ヘッド装置５０が移動するときに、第二軸受部３２（図３）を構成する略丸孔状の滑り軸受部３８の摺動面部３８ａと、略丸棒状の軸部材６１の表面部６１ａとが摺接する。また、略丸棒状の軸部材６１，６２（図４，図７〜図１０）の長手方向Ｄｒに略沿って光ヘッド装置５０が移動するときに、第二緩衝部２（図３）を構成する衝撃受け部材２２の略丸孔状の摺動面部２２ｆと、略丸棒状の軸部材６１の表面部６１ａとが摺接する。
【００７０】
また、略丸棒状の軸部材６１，６２（図４，図７〜図１０）の長手方向Ｄｒに略沿って光ヘッド装置５０が移動するときに、横倒し状の略Ｕ字状滑り軸受構造をした第三軸受部３９（図２）の摺動面部３９ａと、略丸棒状の軸部材６２の表面部６２ａとが摺接する。
【００７１】
光ヘッド装置５０（図３）は、光ヘッド主体部５１の第一軸受部３７と、第二軸受部３８と、第三軸受部３９（図１，図２）とにより、一対の軸部材６１，６２上に安定した略三点構造で移動可能に支持される（図１，図４，図７〜図１０）。光ヘッド装置５０（図３）は、光ヘッド主体部５１の第一軸受部３７と、第二軸受部３８と、第三軸受部３９（図１，図２）との主な三点によって、一対の軸部材６１，６２（図１，図４，図７〜図１０）上に移動可能に支持されるので、例えば四点支持構造の光ヘッド装置（図示せず）よりも摩擦が減らされる。
【００７２】
また、図２の如く、第三軸受部３９は、開口された横倒し状の略Ｕ字状滑り軸受構造を構成するものとされているので、例えば副軸とされる軸部材６２への光ヘッド装置５０の組付け作業が容易に行われる。また、第三軸受部３９は、開口された横倒し状の略Ｕ字状滑り軸受構造を構成するものとされているので、例えば主軸とされる第一軸部材６１（図１〜図１０）に対し、副軸とされる第二軸部材６２（図１，図２，図４〜図１０）の平行度等の僅かな誤差は、開口された横倒し状の略Ｕ字状滑り軸受構造の第三軸受部３９（図２）により吸収される。
【００７３】
光ヘッド装置５０（図８，図１０）の光ヘッド主体部５１を構成するハウジング３の軸受部３１，３２の外側かつ下側に、モータ組立体８０の金属製のリードスクリュー８４に接する合成樹脂製の摺接部材４０が装着されている。摺接部材４０は、光ヘッド装置５０に装備されている。モータ組立体８０のステッピングモータ８２に電力が供給されることにより、ステッピングモータ８２が回動され、ステッピングモータ８２に繋げられたリードスクリュー８４が回動されることにより、リードスクリュー８４に接する摺接部材４０が直進移動させられて、摺接部材４０を備える光ヘッド装置５０が光ディスクの半径方向Ｄｒに略沿って動かされる。
【００７４】
合成樹脂製の摺接部材４０は、光ヘッド装置５０の光ヘッド主体部５１に装着される本体部４１と、本体部４１から金属製リードスクリュー８４に向けて略Ｕ字状に撓まされつつ延設された一対の復元弾性力発生部４３（図５，図６）と、一対の弾性力発生部４３によって生じた復元弾性力により金属製のリードスクリュー８４の略螺旋状表面部８５ａ（図８，図１０）に接することが可能とされた略矩形板状の摺接板部４５ａと、金属製リードスクリュー８４の一本の略螺旋状溝部８５ｂに合わせられる略異形ねじ山状の一対の突出部４５ｂ，４５ｂとを備えている。
【００７５】
また、金属製のリードスクリュー８４は、合成樹脂製の摺接部材４０を構成する略矩形板状の摺接板部４５ａに接する略螺旋帯状の表面部８５ａと、合成樹脂製の摺接部材４０を構成する略異形ねじ山状の一対の突出部４５ｂ，４５ｂに合わせられる一本の略螺旋状の溝部８５ｂとを備えている。
【００７６】
合成樹脂製摺接部材４０の本体部４１と摺接板部４５ａとを繋ぐ略Ｕ字状に撓まされた一対の略板状連結部４３，４３が、略平板状に戻されようとする復元弾性力により、金属製リードスクリュー８４の略螺旋帯状表面部８５ａに合成樹脂製摺接部材４０の略矩形板状摺接板部４５ａが押し付けられる。合成樹脂製の摺接部材４０の略Ｕ字状をした一対の略板状連結部４３，４３に生じる復元弾性力により、金属製のリードスクリュー８４に設けられた一本の略螺旋状の溝部８５ｂに、合成樹脂製の摺接部材４０を構成する略異形ねじ山状の一対の突出部４５ｂ，４５ｂが螺合され、金属製のリードスクリュー８４の略螺旋帯状の表面部８５ａに、合成樹脂製の摺接部材４０を構成する略矩形板状の案内用摺接板部４５ａが押接されている。
【００７７】
モータ組立体８０のステッピングモータ８２に電気が流されることにより、ステッピングモータ８２が回動される。ステッピングモータ８２に続くリードスクリュー８４が回動されることにより、リードスクリュー８４の一本の略螺旋状溝部８５ｂに合わせられた摺接部材４０を構成する略異形ねじ山状の一対の突出部４５ｂ，４５ｂが移動する。このときに、併せてリードスクリュー８４の略螺旋帯状表面部８５ａに、摺接部材４０を構成する略矩形板状摺接板部４５ａが案内されつつ摺接される。このようにして、リードスクリュー８４に接する摺接部材４０が直進移動させられる。モータ組立体８０のステッピングモータ８２が正転または逆転されると、これに伴って、摺接部材４０を備える光ヘッド装置５０は、リードスクリュー８４の長手方向Ｄｒに略沿って精度よく動かされる。
【００７８】
光ヘッド装置５０（図４〜図１０）を備えた光ディスク装置１００などの電源が入れられて、光ヘッド装置５０、光ディスク装置１００などが電源ＯＮの初期状態とされたときに、モータ組立体８０を構成するステッピングモータ８２の脱調対応処理、初期位置出し処理等が行われる。脱調とは、例えばモータドライバ（図示せず）に入力されるパルス信号にモータが追従できなくなる現象等を意味する。
【００７９】
例えばドライブ装置９０（図７，図８）等に対する光ヘッド装置５０の初期位置出し調整処理が行われるときに、例えば先ずドライブ装置９０の一側に光ヘッド装置５０が寄せられる。そのときに、先ず光ヘッド装置５０（図３）を構成する第一緩衝部１の衝撃受け部材２１の外側端面部２１ｃが、基盤１１０（図７，図８）に設けられた第一停止部材７１の停止面部７１ｃに静かに当接され、第一緩衝部１を構成する衝撃受け部材２１（図３）は、第一緩衝部１を兼ねた第一軸受部３１の収容部３３内に向けて静かに押圧される。次に、光ヘッド装置５０（図３）を構成する第一軸受部３１を兼ねた第一緩衝部１の基準面部３１ｃが、基盤１１０（図７，図８）に設けられた第一停止部材７１の停止面部７１ｃに静かに当接される。光ヘッド装置５０（図３）を構成する第一緩衝部１の衝撃受け部材２１の外側端面部２１ｃが、基盤１１０（図７，図８）に設けられた第一停止部材７１の停止面部７１ｃに当接され、光ヘッド装置５０（図３）を構成する第一軸受部３１を兼ねた第一緩衝部１の基準面部３１ｃが、基盤１１０（図７，図８）に設けられた第一停止部材７１の停止面部７１ｃに当接されて、モータ組立体８０（図８）を構成するステッピングモータ８２の脱調対応処理が行われる。
【００８０】
又は、光ヘッド装置５０または光ディスク装置１００の設計／仕様などにより、例えばドライブ装置９０（図９，図１０）等に対する光ヘッド装置５０の初期位置出し調整処理が行われるときに、例えば先ずドライブ装置９０の他側に光ヘッド装置５０が寄せられる。そのときに、先ず光ヘッド装置５０（図３）を構成する第二緩衝部２の衝撃受け部材２
２の外側端面部２２ｃが、基盤１１０（図９，図１０）に設けられた第二停止部材７２の停止面部７２ｃに静かに当接され、第二緩衝部２を構成する衝撃受け部材２２（図３）は、第二緩衝部２を兼ねた第二軸受部３２の収容部３４内に向けて静かに押圧される。次に、光ヘッド装置５０（図３）を構成する第二軸受部３２を兼ねた第二緩衝部２の基準面部３２ｃが、基盤１１０（図９，図１０）に設けられた第二停止部材７２の停止面部７２ｃに静かに当接される。光ヘッド装置５０（図３）を構成する第二緩衝部２の衝撃受け部材２２の外側端面部２２ｃが、基盤１１０（図９，図１０）に設けられた第二停止部材７２の停止面部７２ｃに当接され、光ヘッド装置５０（図３）を構成する第二軸受部３２を兼ねた第二緩衝部２の基準面部３２ｃが、基盤１１０（図９，図１０）に設けられた第二停止部材７２の停止面部７２ｃに当接されて、モータ組立体８０（図１０）を構成するステッピングモータ８２の脱調対応処理が行われる。
【００８１】
光ヘッド装置５０（図１〜図４，図６，図７，図９）いわゆる光学式ヘッド装置５０により、光ディスクから信号が読み出されたり、光ディスクに対して信号の書込み／書換え／消去が行われたりする状態について説明する。光学式ヘッド装置５０の発光素子から小さいパワーのレーザ光が出射され、ＯＢＬ５によりレーザ光が絞り込まれ、レーザ光の焦点が光ディスクの信号面部に照射されることにより、光ディスクの信号面部からデータ等の情報の読取りが行われる。また、光学式ヘッド装置５０の発光素子から大きいパワーのレーザ光が出射され、ＯＢＬ５によりレーザ光が絞り込まれ、レーザ光の焦点が光ディスクの信号面部に照射されることにより、光ディスクの信号面部に対し、データ等の情報の書込み／書換え／消去が行われる。
【００８２】
光ディスクの信号面部からデータ等の情報の読取りが行われたり、光ディスクの信号面部に対してデータ等の情報の書込み／書換え／消去が行われたりするときに、ＯＢＬ５を有するレンズホルダがフォーカス方向Ｄｆに略沿って僅かに動かされてフォーカス調整が行われたり、ディスク半径方向Ｄｒに略沿って僅かに動かされてトラッキング調整が行われたりする。この光ヘッド装置５０は、ＯＢＬ５によるレーザ光の焦点合せが行われるときに、フォーカシング調整と、トラッキング調整と、必要に応じてチルト調整とを実行する。また、フォーカシング調整と、トラッキング調整と、チルト調整とは、例えば略同時に実行される。
【００８３】
フォーカスとは、焦点やピントを意味する。また、フォーカシングとは、焦点を合わせることや、焦点が合わせられることを意味する。また、トラッキングとは、光を用いて、光ディスクの信号面部に設けられた微小なピット（穴、凹み）、グルーブ（溝）、ウォブル（蛇行）などを追跡観測し、略螺旋状に描かれた不図示の軌道の位置を定めることを意味する（何れも図示せず）。微小なピット（穴、凹み）やグルーブ（溝）等が光ディスクのタンジェンシャル方向Ｄｔに略沿って配設／延設されて、略螺旋状の軌道が光ディスクに形成されている（何れも図示せず）。また、光ヘッド装置５０や光ディスク装置１００におけるチルトとは、ディスク面と、ＯＢＬ５の光軸との角度ずれを意味する。
【００８４】
また、図４〜図１０の如く、光ディスク装置１００は、ターンテーブル９５（図４，図５，図７，図９）とターンテーブル９５に対向するクランパ（図示せず）とを有し光ディスクを挟み込んで固定可能なクランプ装置と、光ディスクを回転駆動させるドライブ装置９０（図５，図８，図１０）と、光ディスクにレーザ光を照射させる光ヘッド装置５０（図４〜図１０）と、光ディスクの半径方向Ｄｒに沿って光ヘッド装置５０を駆動させるモータ組立体８０（図８，図１０）と、光ディスクの半径方向Ｄｒに沿って光ヘッド装置５０（図４〜図１０）が移動するときに光ヘッド装置５０を移動可能に支持する一対の軸部材６１，６２と、ドライブ装置９０（図５）と光ヘッド装置５０（図４〜図１０）とモータ組立体８０（図８，図１０）と一対の軸部材６１，６２（図４〜図１０）とが装備される基盤１１０とを備えて構成されている。
【００８５】
光ディスクを回転駆動させるドライブ装置９０と、ドライブ装置９０に装備された光ディスクを挟持可能なクランプ装置とを備えた光ディスク装置１００は、ドライブ装置９０の制御などを行う基板９１（図５，図８，図１０）と、基板９１を介して流される電気により回転駆動するモータ９３（図５）と、モータ９３の回転駆動により回転すると共に略円板状の光ディスクが装着される樹脂製ターンテーブル９５（図４，図５，図７，図９）と、基板９１とモータ９３とターンテーブル９５とを繋ぐ軸９７（図４，図５，図７〜図１０）と、光ディスクの信号面部からデータ等の信号の読取りまたは光ディスクの信号面部に対するデータ等の信号の書込み／書換え／消去が可能とされた光学式ヘッド装置５０（図１〜図１０）と、ターンテーブル９５と共に光ディスクを挟持可能な不図示のクランパとを備えて構成される。
【００８６】
ターンテーブル９５（図５，図７，図９）とターンテーブル９５に対向するクランパとを備えたクランプ装置が用いられて、ターンテーブル９５とクランパとの間に、中心部に丸孔が形成された光ディスク（何れも図示せず）が、位置決めされた状態で確実に挟み込まれて着脱自在に固定される。また、ドライブ装置９０のスピンドルモータ９３上に設けられたターンテーブル９５は、光ディスクの調芯と、光ディスクの高速回転の安定化確保との両機能を兼ね備えたものとされている。
【００８７】
また、ドライブ装置９０（図５，図８，図１０）は、光ディスクを回転駆動させるスピンドルモータ９３（図５）と、スピンドルモータ９３の回動などを制御する回路基板９１とを備えて構成されている。また、このドライブ装置９０は、光ディスクが装着されるターンテーブル９５を含む。スピンドルモータ９３は、光ディスクを回動させるモータ９３とされている。また、回路基板９１は、スピンドルモータ９３などを制御するものとされていることから、例えばモータ回路基板９１等と呼ばれている。基盤１１０にドライブ装置９０のスピンドルモータ９３が取り付けられることにより、基盤１１０にドライブ装置９０が装着される。基盤１１０の上面部１１２側にターンテーブル９５が位置する。また、基盤１１０の下面部１１３側に基板９１が位置する。また、基板９１からスピンドルモータ９３に電力が供給されることにより、スピンドルモータ９３が回動され、スピンドルモータ９３に装着されたターンテーブル９５が回動されることにより、ターンテーブル９５に装着固定された光ディスクが回動される。
【００８８】
また、光ヘッド装置５０（図４〜図１０）は、一対の軸部材６１，６２に移動自在に装備されている。また、一対の軸部材６１，６２（図６）上に装備された光ヘッド装置５０のＯＢＬ５は、基盤１１０の基壁１１１の上面部１１２よりも上側に位置する。
【００８９】
また、モータ組立体８０（図８，図１０）は、光ヘッド装置５０を光ディスクの半径方向Ｄｒに沿って駆動させるステッピングモータ８２と、ステッピングモータ８２に対し回動可能に取り付けられて光ヘッド装置５０を光ディスクの半径方向Ｄｒに沿って精度よく移動させる金属製のリードスクリュー８４と、ステッピングモータ８２に装着される金属製の取付具８６（図５，図６，図８，図１０）とを備えて構成されている。取付具８６は、例えばブラケット８６等と呼ばれている。
【００９０】
ステッピングモータ８２と、リードスクリュー８４と、ブラケット８６とが、一つのものとして一体化されて、ステッピングモータ組立体８０が構成されている。ステッピングモータ組立体８０は、例えば「Assy Stepping motor」等と呼ばれている。ステッピングモータとは、例えばパルス信号が入力されることにより回動するモータを意味する。詳しく説明すると、ステッピングモータとは、パルス信号で直接制御可能なものとされ、パルス信号が入力されるごとに、一定角度ずつ回動するモータとされている。このようなことから、ステッピングモータは、高精度な位置決めが可能なモータとされている。図８およ
び図１０に示すステッピングモータ８２は、例えば位置決め制御が行われ易いモータ８２とされ、微細な送り動作等が行われるときに適したモータ８２とされている。このように、モータ８２として高精度な位置決めが可能なステッピングモータ８２が用いられているが、ステッピングモータ８２以外の他のモータが用いられてもよい。基盤１１０にモータ組立体８０のブラケット８６が取り付けられることにより、基盤１１０にモータ組立体８０が装着される。
【００９１】
また、金属製の各軸部材６１，６２（図１〜図１０）は、長尺状に形成された丸棒状の金属製スライドシャフト６１，６２として形成されている。図５，図６，図８，図１０の如く、第一軸部材６１は、モータ組立体８０のリードスクリュー８４に隣接されている主軸である。また、第二軸部材６２は、主軸である第一軸部材６１に並設されモータ組立体８０のリードスクリュー８４から離されて設置されている副軸である。また、図４，図７〜図１０の如く、第一軸部材６１は、基盤１１０に設けられた一対の停止部材７１，７２に固定されている。詳しく説明すると、第一軸部材６１は、光ヘッド装置５０の往復移動範囲を制限させる一対の停止部材７１，７２に、例えば加締められて固定されている。また、第二軸部材６２は、基盤１１０に設けられた一対の取付部（図示せず）に固定される。
【００９２】
光ヘッド装置５０は、第一軸部材６１および第二軸部材６２に支持された状態で、両軸部材６１，６２の長手方向Ｄｒに沿って移動する。光ディスク装置１００の基盤１１０に固定された第一軸部材６１と第二軸部材６２とは、精度よく平行に配置されているので、光ヘッド装置５０は、光ディスクの半径方向Ｄｒに沿って正確に往復移動する。
【００９３】
光ヘッド装置５０を用いて光ディスク等に記録されたデータ／情報が読み出されたり、光ヘッド装置５０を用いて光ディスク等にデータ／情報を記録させたり、光ディスクに対する光ヘッド装置５０のトラックジャンプを実行させたりするときに、一対の長尺状の軸部材６１，６２に支持された光ヘッド装置５０は、光ディスクのラジアル方向Ｄｒと略一致する光ヘッド装置５０の往復移動方向Ｄｒに略沿って動かされる。
【００９４】
また、金属製の基盤１１０（図４〜図１０）は、光ディスク装置１００が平面視されたときに（図４，図７〜図１０）、光ヘッド装置５０が移動可能な略矩形開口部１１５を備える略矩形板状の金属製シャーシ１１０として形成されている。シャーシ（chassis）とは、例えば部品などが取り付けられる組込み台を意味する。
【００９５】
例えば、薄肉板金に打抜き加工や折曲げ加工などのプレス加工が行われて、シャーシ１１０（図４〜図１０）が形成される。詳しく説明すると、薄肉板状金属素材に打抜き加工が行われてシャーシ１１０の基壁１１１が略形成されるのと略同時に、シャーシ１１０の基壁１１１に打抜き加工が行われて、シャーシ１１０の基壁１１１に略矩形開口部１１５が形成され、そのときに、併せて折曲げ加工が行われることにより、シャーシ１１０の基壁１１１の左右両側から基壁１１１の下側に向けて基壁１１１に対して略直交する方向に沿って一対の側壁１１６，１１７が延設され、且つ、シャーシ１１０の基壁１１１に設けられた開口部１１５から基壁１１１の下側に向けて基壁１１１に対して略直交する方向に沿って一対の停止部材７１，７２が立設される。シャーシ１１０を構成する基壁１１１と、基壁１１１の下面部１１３側から基壁１１１の下側に向けて折曲げ形成された第一停止部材７１と、基壁１１１の下面部１１３側から基壁１１１の下側に向けて折曲げ形成された第二停止部材７２とは、同じ金属素材が用いられて同一の材料により一体成形されている。また、ドライブ装置９０（図８，図１０）に近い側の停止部材７１が、第一停止部材７１とされている。また、ドライブ装置９０から遠ざけられた側の停止部材７２が、第二停止部材７２とされている。
【００９６】
ここで、各方向Ｄｆ，Ｄｔ，Ｄｒについて説明すると、例えばフォーカス方向Ｄｆが上下方向Ｄｆとされる。また、例えばタンジェンシャル方向Ｄｔが左右方向Ｄｔとされる。また、例えば長手方向Ｄｒが前後方向Ｄｒとされる。なお、この明細書における「上」、「下」、「左」、「右」、「前」、「後」の定義は、光ヘッド装置５０および光ディスク装置１００を説明するための便宜上の定義とされている。例えば光ヘッド装置５０および光ディスク装置１００が使用されるときに、光ヘッド装置５０および光ディスク装置１００が略９０°の縦向きに置かれて、光ヘッド装置５０および光ディスク装置１００が略縦置き状態で使用されてもよい（図示せず）。
【００９７】
また、リードスクリュー８４（図５，図６，図８，図１０）と、第一軸部材６１と、第二軸部材６２とは、シャーシ１１０を構成する平面視略矩形板状の基壁１１１の下面部１１３側に精度よく並設されている。平面視略矩形板状に形成されたシャーシ１１０（図４，図７〜図１０）の開口部１１５において、一対のスライドシャフト６１，６２に精度よく支持された光ヘッド装置５０は、光ディスクの内周側と光ディスクの外周側との間を横断するように、光ディスクの半径方向Ｄｒに沿って移動する。このようなことから、光ヘッド装置５０を備える光ディスク装置１００は、例えばトラバースメカ等と呼ばれる。
【００９８】
光ディスク装置１００（図４〜図１０）に各種光ディスク等のメディアが装備される。メディア（media）とは、例えばデータ、情報、信号などが保存されるディスク等を意味する。光ディスク装置１００に装備される各種光ディスク等は、略円板状に形成されている。ディスクとして、例えば、「ＣＤ−ＲＯＭ」，「ＤＶＤ−ＲＯＭ」，「ＨＤ  ＤＶＤ−ＲＯＭ」，「ＢＤ−ＲＯＭ」等のデータ読出し専用の光ディスクや、「ＣＤ−Ｒ」，「ＤＶＤ−Ｒ」，「ＤＶＤ＋Ｒ」，「ＨＤ  ＤＶＤ−Ｒ」，「ＢＤ−Ｒ」等のデータ追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ−ＲＷ」，「ＨＤ  ＤＶＤ−ＲＡＭ」，「ＢＤ−ＲＥ」等のデータ書込み／消去やデータ書換え可能なタイプの光ディスクなどが挙げられる。
【００９９】
また、ディスクとして、例えばディスク両面に信号面が設けられ、データ書込み／消去やデータ書換えが可能とされた光ディスク（図示せず）等も挙げられる。また、ディスクとして、例えば二層の信号面が設けられ、データ書込み／消去やデータ書換えが可能とされた光ディスク（図示せず）等も挙げられる。また、例えば三層の信号面が設けられ、データ書込み／消去やデータ書換えが可能とされた「ＨＤ  ＤＶＤ」用光ディスク（図示せず）等も挙げられる。また、例えば四層の信号面が設けられ、データ書込み／消去やデータ書換えが可能とされた「Blu-ray Disc」用光ディスク（図示せず）等も挙げられる。また、例えばディスクのレーベル面側にもレーザ光を照射させてレーベル等の各種書込みを行うことが可能とされた光ディスク（図示せず）等も挙げられる。
【０１００】
光ディスク装置１００は、前記各種ディスクに対応可能とされている。光ディスク装置１００が用いられて、各種光ディスクに記録された情報などのデータ再生が行われる。また、光ディスク装置１００が用いられて、各種光ディスクに情報などのデータ記録が行われる。
【０１０１】
また、光ディスク装置１００にてデータなどの情報の記録が可能な光ディスクにおいては、光ディスクの信号面部に、データ／情報が保存されるためのグルーブ（図示せず）が設けられている。グルーブ（groove）とは、細長いへこみを意味する。円板状光ディスクが平面視されたときに、グルーブは、略螺旋状に形成されている。光ディスクの信号面部側から光ディスクを眺めたときに、グルーブは、渦巻状のものとされる。グルーブは、非常に小さいものとされているので、グルーブは、目視不能とされる。
【０１０２】
光ディスクについて説明する。「ＣＤ」は、「Compact Disc」（商標）の略称とされている。また、「ＤＶＤ」（登録商標）は、「Digital Versatile Disc」の略称とされている。また、「ＣＤ−ＲＯＭ」、「ＤＶＤ−ＲＯＭ」及び「ＨＤ  ＤＶＤ−ＲＯＭ」の「ＲＯＭ」は、「Read Only Memory」の略称とされている。また、「ＢＤ−ＲＯＭ」は、「Blu-ray Disc-ROM」の略称とされている。「ＣＤ−ＲＯＭ」、「ＤＶＤ−ＲＯＭ」、「ＨＤ
ＤＶＤ−ＲＯＭ」及び「ＢＤ−ＲＯＭ」は、データ／情報読出し専用のものとされている。また、「ＣＤ−Ｒ」、「ＤＶＤ−Ｒ」、「ＤＶＤ＋Ｒ」及び「ＨＤ  ＤＶＤ−Ｒ」の「Ｒ」は、「Recordable」の略称とされている。また、「ＢＤ−Ｒ」は、「Blu-ray Disc-R」の略称とされている。「ＣＤ−Ｒ」、「ＤＶＤ−Ｒ」、「ＤＶＤ＋Ｒ」、「ＨＤ  ＤＶＤ−Ｒ」及び「ＢＤ−Ｒ」は、データ／情報の書込みが可能なものとされている。また、「ＣＤ−ＲＷ」、「ＤＶＤ−ＲＷ」、「ＤＶＤ＋ＲＷ」及び「ＨＤ  ＤＶＤ−ＲＷ」の「ＲＷ」は、「Re-Writable」の略称とされている。また「ＢＤ−ＲＥ」は、「Blu-ray Disc-RE」の略称とされている。「ＣＤ−ＲＷ」、「ＤＶＤ−ＲＷ」、「ＤＶＤ＋ＲＷ」、「ＨＤ  ＤＶＤ−ＲＷ」及び「ＢＤ−ＲＥ」は、データ／情報の書換えが可能なものとされている。また、「ＤＶＤ−ＲＡＭ」及び「ＨＤ  ＤＶＤ−ＲＡＭ」の「ＲＡＭ」は、「Random Access Memory」の略称とされている。「ＤＶＤ−ＲＡＭ」及び「ＨＤ  ＤＶＤ−ＲＡＭ」は、データ／情報の読み書き／消去が可能なものとされている。
【０１０３】
また「ＨＤ  ＤＶＤ」（登録商標）は「High Definition DVD」の略称とされている。「ＨＤ  ＤＶＤ」は、従来のＤＶＤ系列のものと互換性をもたせ、且つ、従来のＤＶＤ系列のディスクよりも記憶容量の大きいものとされている。従来のＣＤには、赤外レーザが用いられていた。また、従来のＤＶＤには、赤色レーザが用いられていた。しかしながら「ＨＤ  ＤＶＤ」の光ディスクに記録されたデータ／情報が読み出されるときや、「ＨＤ
ＤＶＤ」の光ディスクにデータ／情報が書き込まれるときには、青紫色レーザが用いられる。また、「Blu-ray」とは、従来の信号の読み書きに用いられていた赤色のレーザに対し、高密度記録が実現されるために採用された青紫色のレーザを意味する。
【０１０４】
光学式ヘッド装置５０（図１〜図１０）は、前記各種光ディスクに記録されたデータを再生させたり、前記書込み可能もしくは書換え可能な各種光ディスクにデータを記録させたりする。光学式ヘッド装置５０は、例えば、ＣＤ系のディスクと、ＤＶＤ系のディスクと、Blu-ray Disc系のディスクとに対応する。このように、光学式ヘッド装置５０は、複数のディスク等のメディアに対応している。
【０１０５】
図４，図７〜図１０の如く、光ディスク装置１００内の光ヘッド装置５０の走行範囲は、シャーシ１１０に設けられた各ストッパ７１，７２にて規制されている。各ストッパ７１，７２は、剛体で構成されているため、例えば、光ヘッド装置５０を備える光ディスク装置１００が落下され、光ヘッド装置５０を備える光ディスク装置１００に落下衝撃が加えられると、光ヘッド装置５０は、ストッパ７１（図７，図８）又はストッパ７２（図９，図１０）に激突することになる。
【０１０６】
各ドライブメーカ等の各社において、光ディスク装置１００または光ヘッド装置５０の落下衝撃試験の規定内容などが異なることにより、光ヘッド装置５０における激突状態に差が生じる。各ドライブメーカ等の各社において、光ディスク装置１００または光ヘッド装置５０の落下衝撃試験の規定内容などが異なることから、例えば落下衝撃試験の設定内容などにより、実際に光ヘッド装置５０が受ける衝撃値が変わることになる。
【０１０７】
また、ストッパ７１，７２の材質や形状により、ストッパ７１又は７２に対する光ヘッド装置５０の激突時に、反力による大きな衝撃エネルギがさらに光ヘッド装置５０に加えられる場合もある。このようなことから、この激突状態を緩和させることが重要となる。
【０１０８】
具体的な対応方法として、ストッパ７１又は７２と激突する光ヘッド装置５０側に緩衝機能を持たせ、衝撃エネルギを吸収させる。このような対応方法が採用されると、例えば光ディスク装置１００の組立メーカとされる供給先の光ディスク装置１００ごとに緩衝機能の設定が可能となる。
【０１０９】
図１〜図３の如く、この光ヘッド装置５０は、少なくとも光ディスクのデータ、情報等の信号の読取り動作が実行可能とされた光ヘッド主体部５１を備えている。詳しく説明すると、この光ヘッド装置５０は、光ディスクのデータ、情報等の信号の読取りまたは光ディスクに対するデータ、情報等の信号の書込みもしくは書換えもしくは消去の何れか一つ以上の動作が実行可能とされた光ヘッド主体部５１を備えている。光ヘッド主体部５１に落下などによる衝撃が加えられようとされるときに、衝撃を緩和させる一対の緩衝部１，２（図１，図３）が、光ヘッド主体部５１に設けられている。
【０１１０】
光ヘッド装置５０の光ヘッド主体部５１に、衝撃を緩和させる一対の緩衝部１，２が設けられていれば、例えば光ヘッド装置５０が落下して、光ヘッド主体部５１を備える光ヘッド装置５０に衝撃が加えられても、光ヘッド装置５０の光ヘッド主体部５１に設けられた緩衝部１又は２により、光ヘッド主体部５１に加えられる衝撃は緩和される。従来のヘッド装置（図示せず）に衝撃が加えられると、例えばヘッド装置を構成する各部品の固定位置に「ずれ」が生じ、これに起因して、ヘッド装置に例えば動作不良などの不具合が生じることが懸念されていた。しかしながら、光ヘッド主体部５１に落下などによる衝撃が加えられようとされるときに、衝撃を緩和させる一対の緩衝部１，２が光ヘッド装置５０の光ヘッド主体部５１に設けられていれば、衝撃が直接光ヘッド主体部５１に加えられるということは回避される。従って、衝撃対策が行われた光ヘッド主体部５１を備える光ヘッド装置５０の提供が可能となる。
【０１１１】
光ディスク装置１００または光ヘッド装置５０の落下衝撃試験が行われるときに、例えば図４の如く、光ディスク装置１００の他側とされる第二停止部材７２側に予め光ヘッド装置５０を寄せておく。リードスクリュー８４（図８）に設けられた一本の略螺旋状の溝部８５ｂに、摺接部材４０を構成する略異形ねじ山状の一対の突出部４５ｂ，４５ｂが合わせられるので、例えば光ディスク装置１００（図４）の他側とされる第二停止部材７２側に光ヘッド装置５０を寄せて、光ディスク装置１００の他側とされる第二停止部材７２側を静かに上側に向けると共に、光ディスク装置１００の一側とされる第一停止部材７１側を静かに下側に向けても、光ヘッド装置５０は、光ディスク装置１００の一側の第一停止部材７１に向けて落下することがない。
【０１１２】
しかしながら、この状態で光ヘッド装置５０を備える光ディスク装置１００の落下衝撃試験が行われると、光ディスク装置１００に衝撃が加えられたときに、衝撃の度合等により、はずみでリードスクリュー８４（図８）に設けられた一本の略螺旋状の溝部８５ｂから摺接部材４０を構成する略異形ねじ山状の一対の突出部４５ｂ，４５ｂが外れることがある。そのときに、光ヘッド装置５０（図４）は、光ディスク装置１００の一側の第一停止部材７１に向けて落下する（図７，図８）。そののちに、直ぐに光ヘッド装置５０の第一緩衝部１の衝撃受け部材２１（図１〜図４）が、光ディスク装置１００（図７，図８）の一側の第一停止部材７１に衝突する。
【０１１３】
また、光ディスク装置１００または光ヘッド装置５０の落下衝撃試験が行われるときに、例えば光ディスク装置１００の一側とされる第一停止部材７１側に予め光ヘッド装置５０を寄せておく（図７，図８）。リードスクリュー８４（図８，図１０）に設けられた一本の略螺旋状の溝部８５ｂに、摺接部材４０を構成する略異形ねじ山状の一対の突出部４５ｂ，４５ｂが合わせられるので、例えば光ディスク装置１００（図７，図８）の一側とされる第一停止部材７１側に光ヘッド装置５０を寄せて、光ディスク装置１００の一側と
される第一停止部材７１側を静かに上側に向けると共に、光ディスク装置１００の他側とされる第二停止部材７２側を静かに下側に向けても、光ヘッド装置５０は、光ディスク装置１００の他側の第二停止部材７２に向けて落下することがない。
【０１１４】
しかしながら、この状態で光ヘッド装置５０を備える光ディスク装置１００の落下衝撃試験が行われると、光ディスク装置１００に衝撃が加えられたときに、衝撃の度合等により、はずみでリードスクリュー８４（図８，図１０）に設けられた一本の略螺旋状の溝部８５ｂから摺接部材４０を構成する略異形ねじ山状の一対の突出部４５ｂ，４５ｂが外れることがある。そのときに、光ヘッド装置５０（図７，図８）は、光ディスク装置１００の他側の第二停止部材７２に向けて落下する（図９，図１０）。そののちに、直ぐに光ヘッド装置５０の第二緩衝部２の衝撃受け部材２２（図１，図３）が、光ディスク装置１００（図９，図１０）の他側の第二停止部材７２に衝突する。
【０１１５】
光ヘッド装置５０（図１〜図３）の光ヘッド主体部５１に設けられた第一緩衝部１について説明する。図３の如く、光ヘッド装置５０の第一緩衝部１は、衝撃を吸収して緩和させる弾性部材１１を備えて構成されている。
【０１１６】
これにより、例えば光ヘッド装置５０が落下して、光ヘッド主体部５１を備える光ヘッド装置５０に大きい衝撃が加えられても、光ヘッド主体部５１に加えられる衝撃は緩和される。光ヘッド主体部５１に衝撃が加えられようとされるときに、大きい衝撃は、光ヘッド装置５０の光ヘッド主体部５１に設けられた第一緩衝部１の弾性部材１１に吸収されて緩和されるので、大きい衝撃により光ヘッド主体部５１が損傷するということは回避される。
【０１１７】
第一緩衝部１を構成する弾性部材１１として、弾性特性に優れる金属製圧縮コイルばね１１が用いられている。
【０１１８】
これにより、例えば光ヘッド装置５０が落下して、光ヘッド主体部５１を備える光ヘッド装置５０に大きい衝撃が加えられても、大きい衝撃は、光ヘッド装置５０の光ヘッド主体部５１に設けられた第一緩衝部１の金属製圧縮コイルばね１１によって確実に吸収される。弾性特性に優れる金属製圧縮コイルばね１１が、光ヘッド装置５０の光ヘッド主体部５１に設けられた第一緩衝部１に装備されることにより、金属製圧縮コイルばね１１によって、確実に大きい衝撃が吸収されることとなる。
【０１１９】
光ヘッド装置５０（図１〜図３）の第一緩衝部１は、衝撃を直接最初に受ける衝撃受け部材２１を備えて構成されている。
【０１２０】
これにより、例えば光ヘッド装置５０が落下して、光ヘッド主体部５１を備える光ヘッド装置５０に大きい衝撃が加えられても、光ヘッド主体部５１に加えられる衝撃は緩和される。光ヘッド主体部５１に衝撃が加えられようとされるときに、光ヘッド装置５０の光ヘッド主体部５１に設けられた第一緩衝部１の衝撃受け部材２１が、最初に直接大きい衝撃を受けるので、光ヘッド主体部５１に大きい衝撃が直接加えられるということは回避される。
【０１２１】
第一緩衝部１（図１，図３）を構成する衝撃受け部材２１の端面部２１ｃは、光ヘッド主体部５１の一側表面部３ａよりも光ヘッド主体部５１の外側に向けて突出されている。光ヘッド主体部５１の一側表面部３ａよりも光ヘッド主体部５１の外側に向けて金属製または合成樹脂製衝撃受け部材２１の端面部２１ｃが突出されていれば、金属製または合成樹脂製衝撃受け部材２１が、最初に直接大きい衝撃を受ける。
【０１２２】
第一緩衝部１を構成する衝撃受け部材２１として、光ヘッド主体部５１の一側表面部３ａよりも光ヘッド主体部５１の外側に向けて端面部２１ｃが突出可能な略円筒状の金属製または樹脂製ブッシュ２１が用いられている。
【０１２３】
これにより、例えば光ヘッド装置５０が落下して、光ヘッド主体部５１を備える光ヘッド装置５０に大きい衝撃が加えられても、光ヘッド装置５０の光ヘッド主体部５１に設けられた第一緩衝部１の金属製または樹脂製ブッシュ２１が、最初に直接大きい衝撃を受ける。光ヘッド主体部５１の一側表面部３ａよりも光ヘッド主体部５１の外側に向けて略円筒状の金属製または樹脂製ブッシュ２１の端面部２１ｃが突出されていれば、略円筒状の金属製または樹脂製ブッシュ２１が、最初に直接大きい衝撃を受けることとなる。
【０１２４】
光ヘッド装置５０（図１〜図３）の光ヘッド主体部５１は、光ヘッド主体部５１を直線状に移動可能に支える長尺状軸部材６１が挿通可能な第一軸受部３１を備えている。第一軸受部３１に第一緩衝部１が備えられている。
【０１２５】
図１〜図１０に示す光ディスク装置１００に光ヘッド装置５０が装備されることにより、例えば軸部材６１，６２の長手方向Ｄｒに略沿って光ヘッド装置５０が落下し、そのときに、光ヘッド主体部５１を備える光ヘッド装置５０に対し、軸部材６１，６２の長手方向Ｄｒに略沿った方向に大きい衝撃が加えられても、光ヘッド装置５０を構成する光ヘッド主体部５１に加えられる衝撃は緩和される。光ヘッド装置５０の光ヘッド主体部５１を直線状に移動可能に支える長尺状軸部材６１は、光ヘッド主体部５１の各軸受部３１，３２に挿通される。軸部材６１が挿通可能な第一軸受部３１に衝撃を緩和させる第一緩衝部１が備えられているので、光ヘッド装置５０の光ヘッド主体部５１が軸部材６１，６２の長手方向Ｄｒに沿って軸部材６１，６２上を移動しているときに、軸部材６１上の停止部材７１（図４，図７，図８）に光ヘッド装置５０の第一緩衝部１が衝突し、これに伴って、光ヘッド装置５０を構成する光ヘッド主体部５１に衝撃が加えられようとされても、そのときの衝撃は、光ヘッド装置５０の光ヘッド主体部５１の第一軸受部３１に備えられた第一緩衝部１（図３）によって緩和される。
【０１２６】
光ディスク装置１００（図４〜図１０）を構成する軸部材６１，６２として、丸棒状の金属製スライドシャフト６１，６２が用いられている。また、金属製スライドシャフト６１に対応した略丸孔状の金属製または樹脂製滑り軸受部３７（図３）が、第一軸受部３１に設けられている。
【０１２７】
図１〜図１０に示す光ディスク装置１００に光ヘッド装置５０が装備されることにより、例えば丸棒状の金属製スライドシャフト６１，６２の長手方向Ｄｒに略沿って光ヘッド装置５０が落下し、そのときに、光ヘッド主体部５１を備える光ヘッド装置５０に対し、丸棒状の金属製スライドシャフト６１，６２の長手方向Ｄｒに略沿った方向に大きい衝撃が加えられても、光ヘッド主体部５１に加えられる衝撃は緩和される。光ヘッド装置５０の光ヘッド主体部５１の第一軸受部３１に設けられた金属製または樹脂製滑り軸受部３７に、丸棒状の金属製スライドシャフト６１が合わせられて、光ヘッド主体部５１を備える光ヘッド装置５０は、丸棒状の金属製スライドシャフト６１の長手方向Ｄｒに沿った方向に移動可能となる。丸棒状の金属製スライドシャフト６１，６２の長手方向Ｄｒに沿った方向の大きい衝撃が、光ヘッド装置５０の光ヘッド主体部５１に加えられようとされても、そのときの衝撃は、光ヘッド装置５０の光ヘッド主体部５１の第一軸受部３１に備えられた第一緩衝部１によって緩和されることとなる。
【０１２８】
光ヘッド装置５０の第一緩衝部１は、衝撃を吸収して緩和させる圧縮コイルばね１１と、衝撃を直接最初に受けるブッシュ２１と、光ヘッド主体部５１を直線状に移動可能に支える長尺状スライドシャフト６１が挿通可能な軸受部３１とを備えて構成されている。圧
縮コイルばね１１とブッシュ２１とを収納可能な軸受部３１の収容室３３に、圧縮コイルばね１１とブッシュ２１とが装備されている。また、軸受部３１の収容室３３を構成する内壁面部３５に圧縮コイルばね１１が接すると共に、圧縮コイルばね１１にブッシュ２１が接している。
【０１２９】
このように光ヘッド装置５０の第一緩衝部１が構成されていれば、例えば、長尺状スライドシャフト６１，６２（図４，図７，図８）の長手方向Ｄｒと重力方向とが略一致した状態とされ、光ディスク装置１００のドライブ装置９０が下側の状態で光ディスク装置１００が落下され、そのときに、光ディスク装置１００のシャーシ１１０に光ヘッド装置５０が衝突して、光ヘッド主体部５１を備える光ヘッド装置５０に大きい衝撃が加えられても、光ヘッド主体部５１に加えられる衝撃は、確実に緩和される。光ヘッド主体部５１に加えられようとされる大きい衝撃を緩和させるために、衝撃を吸収して緩和させる圧縮コイルばね１１（図３）と、衝撃を直接最初に受けるブッシュ２１と、光ヘッド主体部５１を直線状に移動可能に支える長尺状スライドシャフト６１が挿通可能な軸受部３１とを備える第一緩衝部１が、光ヘッド装置５０の光ヘッド主体部５１に設けられ、圧縮コイルばね１１とブッシュ２１とを収納可能な軸受部３１の収容室３３に、圧縮コイルばね１１とブッシュ２１とが装備され、軸受部３１の収容室３３を構成する内壁面部３５に圧縮コイルばね１１が接すると共に、圧縮コイルばね１１にブッシュ２１が接する構造の光ヘッド装置５０が構成されていれば、ブッシュ２１に大きい衝撃が加えられても、大きい衝撃は、ブッシュ２１と、軸受部３１の収容室３３を構成する内壁面部３５とに接する圧縮コイルばね１１に、確実に吸収されて緩和される。
【０１３０】
軸受部３１（図３）を構成する基準面部３１ｃおよび軸受部３１の収容室３３を構成する内壁面部３５の第二面部３１ｂを構成する部分は、軸受部３１の収容室３３内に圧縮コイルばね１１およびブッシュ２１が内装されたのちに閉じられる例えば略蓋状に形成される。また、光ディスク装置１００（図４，図７，図８）のシャーシ１１０の第一ストッパ７１に、光ヘッド装置５０の第一緩衝部１のブッシュ２１を確実に当接させるために、光ディスク装置１００のシャーシ１１０に設けられた第一ストッパ７１の停止面部７１ｃの当接面積は、光ヘッド装置５０の第一緩衝部１を構成するブッシュ２１の当接端面部２１ｃの当接面積よりも大きい面積とされている。
【０１３１】
光ヘッド装置５０を備える光ディスク装置１００が落下され、そのときに光ディスク装置１００が受けた衝撃により、長尺状スライドシャフト６１，６２の長手方向Ｄｒに沿って光ヘッド主体部５１が移動させられて、光ヘッド主体部５１の直線移動範囲を制限させるスライドシャフト６１上の第一ストッパ７１の停止面部７１ｃに、光ヘッド主体部５１の軸受部３１に装備されたブッシュ２１の当接端面部２１ｃが衝突したときに、ブッシュ２１（図３）に隣接する圧縮コイルばね１１が圧縮コイルばね１１の圧縮方向Ｄ１に沿って圧縮変形させられて、光ヘッド主体部５１に加えられる衝撃が緩和される。
【０１３２】
これにより、例えば、長尺状スライドシャフト６１，６２（図４，図７，図８）の長手方向Ｄｒと重力方向とが略一致した状態とされ、光ディスク装置１００のドライブ装置９０が下側の状態で光ディスク装置１００が落下され、そのときに、光ディスク装置１００のシャーシ１１０に光ヘッド装置５０が衝突して、光ヘッド主体部５１を備える光ヘッド装置５０に大きい衝撃が加えられても、光ヘッド主体部５１に加えられる衝撃は、確実に緩和される。スライドシャフト６１，６２の長手方向Ｄｒに沿って光ヘッド装置５０を構成する光ヘッド主体部５１が移動させられたときに、光ヘッド主体部５１の直線移動範囲を制限させるスライドシャフト６１上の第一ストッパ７１の停止面部７１ｃに、光ヘッド主体部５１の軸受部３１に装備されたブッシュ２１の当接端面部２１ｃが衝突した場合、ブッシュ２１（図３）に隣接する圧縮コイルばね１１が圧縮コイルばね１１の圧縮方向Ｄ１に沿って圧縮変形させられる。圧縮コイルばね１１が圧縮コイルばね１１の圧縮方向Ｄ
１に沿って圧縮変形させられることにより、光ヘッド主体部５１に加えられる衝撃が確実に緩和されることとなる。
【０１３３】
圧縮コイルばね１１は、略湾曲状の第一端部１１ａと、第一端部１１ａの反対側の端部１１ｂとされる略湾曲状の第二端部１１ｂとを備えて形成されている。断面略丸状の線状素材にコイル状巻回処理が行われることにより、圧縮コイルばね１１が形成される。
【０１３４】
また、ブッシュ２１は、略円環状の第一端面部２１ａと、第一端面部２１ａの反対側の端面部２１ｂとされる略円環状の第二端面部２１ｂと、第一端面部２１ａの反対側の端面部２１ｃとされると共に第二端面部２１ｂよりも先に突出形成された略円環状の第三端面部２１ｃとを備えて形成されている。また、ブッシュ２１は、略円筒状のブッシュ本体２５と、ブッシュ本体２５の直径よりも大きい直径の抜出し防止部２３いわゆる鍔２３とを備えて形成されている。ブッシュ２１の鍔２３は、軸受部３１の収容室３３からブッシュ２１が抜け出されることを防ぐためにブッシュ本体２５に設けられている。
【０１３５】
また、軸受部３１は、収容室３３を形成する略円環状の第一面部３１ａと、第一面部３１ａの反対側の面部３１ｂとされ収容室３３を形成する略円環状の第二面部３１ｂと、第二面部３１ｂの反対側の面部３１ｃとされると共に軸受部３１の外面部３１ｃを形成する異型状の第三面部３１ｃとを備えて形成されている。
【０１３６】
軸受部３１の収容室３３を形成する略円環状をした第一面部３１ａに、圧縮コイルばね１１の略湾曲状をした第一端部１１ａが当接されている。また、ブッシュ２１の略円環状をした第一端面部２１ａに、圧縮コイルばね１１の略湾曲状をした第二端部１１ｂが当接されている。また、軸受部３１の収容室３３を形成する略円環状をした第二面部３１ｂに、ブッシュ２１の鍔２３の略円環状をした第二端面部２１ｂが当接されている。このような状態は、第一緩衝部１に外力が加えられていない自然状態とされる。
【０１３７】
第一緩衝部１が自然状態とされているときには、軸受部３１の収容室３３の略円環状をした第一面部３１ａと、ブッシュ２１の略円環状をした第一端面部２１ａとの間に位置する端部略湾曲状の圧縮コイルばね１１が圧縮されることにより、圧縮コイルばね１１に常に復元弾性力が発生されて、ブッシュ２１の略円環状をした第三端面部２１ｃは、軸受部３１の異型状をした第三面部３１ｃよりも外側に常に位置する。
【０１３８】
このように光ヘッド装置５０の第一緩衝部１が構成されていれば、例えば、長尺状スライドシャフト６１，６２（図４，図７，図８）の長手方向Ｄｒと重力方向とが略一致した状態とされ、光ディスク装置１００のドライブ装置９０が下側の状態で光ディスク装置１００が落下され、そのときに、光ディスク装置１００のシャーシ１１０に光ヘッド装置５０が衝突して、光ヘッド装置５０を構成する光ヘッド主体部５１の第一緩衝部１に大きい衝撃が加えられても、光ヘッド主体部５１に加えられる衝撃は、確実に緩和される。衝撃を直接最初に受けるブッシュ２１（図３）と、ブッシュ２１に当接し衝撃を吸収して緩和させる圧縮コイルばね１１と、圧縮コイルばね１１に当接し光ヘッド主体部５１を直線状に移動可能に支える長尺状スライドシャフト６１が挿通可能な軸受部３１とにより、光ヘッド主体部５１の第一緩衝部１が構成され、ブッシュ２１と、圧縮コイルばね１１とを収納可能な軸受部３１の収容室３３に、ブッシュ２１と、常に復元弾性力が発生された圧縮コイルばね１１とが、それぞれ当接した状態で装備されることにより、光ヘッド主体部５１の第一緩衝部１のブッシュ２１に加えられる衝撃は、復元弾性力が発生された圧縮コイルばね１１にて確実に緩和される。
【０１３９】
圧縮コイルばね１１を構成する略湾曲状の第一端部１１ａと、略湾曲状の第二端部１１ｂとは、長尺状スライドシャフト６１の長手方向Ｄｒに対し、略直交する面を備えて形成
されている。また、ブッシュ２１を構成する略円環状の第一端面部２１ａと、略円環状の第二端面部２１ｂと、略円環状の第三端面部２１ｃとは、長尺状スライドシャフト６１の長手方向Ｄｒに対し、略直交する面を備えて形成されている。また、軸受部３１の収容室３３を形成する略円環状の第一面部３１ａと、軸受部３１の収容室３３を形成する略円環状の第二面部３１ｂと、軸受部３１の外面部３１ｃを形成する異型状の第三面部３１ｃとは、長尺状スライドシャフト６１の長手方向Ｄｒに対し、略直交する面を備えて形成されている。
【０１４０】
光ヘッド装置５０（図４，図７，図８）を備える光ディスク装置１００が落下され、そのときに光ディスク装置１００が受けた衝撃により、長尺状スライドシャフト６１，６２の長手方向Ｄｒに沿って、光ヘッド装置５０の光ヘッド主体部５１が移動させられて、光ヘッド主体部５１の直線移動範囲を制限させるスライドシャフト６１上の第一ストッパ７１の停止面部７１ｃに、光ヘッド主体部５１の第一軸受部３１に装備されたブッシュ２１（図３）の本体２５の第三端面部２１ｃが衝突して、ブッシュ２１が第一軸受部３１の収容室３３内に向けて押動させられたときに、第一軸受部３１の収容室３３の第一面部３１ａと、ブッシュ２１の第一端面部２１ａとの間に位置し、ブッシュ２１の第一端面部２１ａに当接された圧縮状態の圧縮コイルばね１１が、圧縮コイルばね１１の圧縮方向Ｄ１に沿ってさらに圧縮変形させられることにより、圧縮コイルばね１１に衝撃が吸収される。
【０１４１】
これにより、例えば、長尺状スライドシャフト６１，６２（図４，図７，図８）の長手方向Ｄｒと重力方向とが略一致した状態とされ、光ディスク装置１００のドライブ装置９０が下側の状態で光ディスク装置１００が落下され、そのときに、光ディスク装置１００のシャーシ１１０に光ヘッド装置５０が衝突して、光ヘッド装置５０を構成する光ヘッド主体部５１の第一緩衝部１に大きい衝撃が加えられても、光ヘッド主体部５１に加えられる衝撃は、圧縮変形させられた圧縮コイルばね１１（図３）によって確実に吸収される。光ディスク装置１００（図４，図７，図８）が落下したことにより、スライドシャフト６１，６２の長手方向Ｄｒに沿って光ヘッド装置５０を構成する光ヘッド主体部５１が移動させられたときに、光ヘッド主体部５１の直線移動範囲を制限させるスライドシャフト６１上の第一ストッパ７１の停止面部７１ｃに、光ヘッド主体部５１の第一軸受部３１に装備されたブッシュ２１（図３）の本体２５の第三端面部２１ｃが衝突することとなる。そのような衝突が生じた場合、ブッシュ２１に当接された圧縮状態の圧縮コイルばね１１が、圧縮コイルばね１１の圧縮方向Ｄ１に沿ってさらに圧縮変形させられる。圧縮状態の圧縮コイルばね１１が圧縮コイルばね１１の圧縮方向Ｄ１に沿ってさらに圧縮変形させられることにより、光ヘッド装置５０の光ヘッド主体部５１に加えられる衝撃は、圧縮変形させられた圧縮コイルばね１１によって確実に吸収されることとなる。
【０１４２】
また、光ヘッド装置５０（図４，図７，図８）を備える光ディスク装置１００が落下され、そのときに光ディスク装置１００が受けた衝撃により、長尺状スライドシャフト６１，６２の長手方向Ｄｒに沿って、光ヘッド装置５０の光ヘッド主体部５１が移動させられて、光ヘッド主体部５１の直線移動範囲を制限させるスライドシャフト６１上の第一ストッパ７１の停止面部７１ｃに、光ヘッド主体部５１の第一軸受部３１に装備されたブッシュ２１（図３）の本体２５の第三端面部２１ｃが衝突して、ブッシュ２１が第一軸受部３１の収容室３３内に向けて押動させられたときに、第一緩衝部１を構成する可動ブッシュ２１の略丸孔状摺動面部２１ｆと、略丸棒状スライドシャフト６１の表面部６１ａとが摺接する。また、そのときに、第一緩衝部１を構成する可動ブッシュ２１の本体２５の略円筒状摺接面部２１ｄと、第一緩衝部１を構成する軸受部３１の略円孔状摺接面部３１ｄとが摺動する。
【０１４３】
また、光ディスク装置１００および光ヘッド装置５０に衝撃が加えられたときに、第一緩衝部１の可動ブッシュ２１が略丸棒状スライドシャフト６１の長手方向Ｄｒに略沿って
スムーズに動かされるために、可動ブッシュ２１の鍔２３の外周面部２１ｅと、第一緩衝部１の収容室３３の内周面部３１ｅとの間に、僅かな隙間が設けられ、第一緩衝部１の収容室３３の内周面部３１ｅに対し、可動ブッシュ２１の鍔２３の外周面部２１ｅは非接触とされている。
【０１４４】
次に、光ヘッド装置５０（図１，図３）の光ヘッド主体部５１に設けられた第二緩衝部２について説明する。図３の如く、光ヘッド装置５０の第二緩衝部２は、衝撃を吸収して緩和させる弾性部材１２を備えて構成されている。
【０１４５】
これにより、例えば光ヘッド装置５０が落下して、光ヘッド主体部５１を備える光ヘッド装置５０に大きい衝撃が加えられても、光ヘッド主体部５１に加えられる衝撃は緩和される。光ヘッド主体部５１に衝撃が加えられようとされるときに、大きい衝撃は、光ヘッド装置５０の光ヘッド主体部５１に設けられた第二緩衝部２の弾性部材１２に吸収されて緩和されるので、大きい衝撃により光ヘッド主体部５１が損傷するということは回避される。
【０１４６】
第二緩衝部２を構成する弾性部材１２として、弾性特性に優れる金属製圧縮コイルばね１２が用いられている。
【０１４７】
これにより、例えば光ヘッド装置５０が落下して、光ヘッド主体部５１を備える光ヘッド装置５０に大きい衝撃が加えられても、大きい衝撃は、光ヘッド装置５０の光ヘッド主体部５１に設けられた第二緩衝部２の金属製圧縮コイルばね１２によって確実に吸収される。弾性特性に優れる金属製圧縮コイルばね１２が、光ヘッド装置５０の光ヘッド主体部５１に設けられた第二緩衝部２に装備されることにより、金属製圧縮コイルばね１２によって、確実に大きい衝撃が吸収されることとなる。
【０１４８】
光ヘッド装置５０（図１，図３）の第二緩衝部２は、衝撃を直接最初に受ける衝撃受け部材２２を備えて構成されている。
【０１４９】
これにより、例えば光ヘッド装置５０が落下して、光ヘッド主体部５１を備える光ヘッド装置５０に大きい衝撃が加えられても、光ヘッド主体部５１に加えられる衝撃は緩和される。光ヘッド主体部５１に衝撃が加えられようとされるときに、光ヘッド装置５０の光ヘッド主体部５１に設けられた第二緩衝部２の衝撃受け部材２２が、最初に直接大きい衝撃を受けるので、光ヘッド主体部５１に大きい衝撃が直接加えられるということは回避される。
【０１５０】
第二緩衝部２を構成する衝撃受け部材２２の端面部２２ｃは、光ヘッド主体部５１の他側表面部３ｂよりも光ヘッド主体部５１の外側に向けて突出されている。光ヘッド主体部５１の他側表面部３ｂよりも光ヘッド主体部５１の外側に向けて金属製または合成樹脂製衝撃受け部材２２の端面部２２ｃが突出されていれば、金属製または合成樹脂製衝撃受け部材２２が、最初に直接大きい衝撃を受ける。
【０１５１】
第二緩衝部２を構成する衝撃受け部材２２として、光ヘッド主体部５１の他側表面部３ｂよりも光ヘッド主体部５１の外側に向けて端面部２２ｃが突出可能な略円筒状の金属製または樹脂製ブッシュ２２が用いられている。
【０１５２】
これにより、例えば光ヘッド装置５０が落下して、光ヘッド主体部５１を備える光ヘッド装置５０に大きい衝撃が加えられても、光ヘッド装置５０の光ヘッド主体部５１に設けられた第二緩衝部２の金属製または樹脂製ブッシュ２２が、最初に直接大きい衝撃を受ける。光ヘッド主体部５１の他側表面部３ｂよりも光ヘッド主体部５１の外側に向けて略円
筒状の金属製または樹脂製ブッシュ２２の端面部２２ｃが突出されていれば、略円筒状の金属製または樹脂製ブッシュ２２が、最初に直接大きい衝撃を受けることとなる。
【０１５３】
光ヘッド装置５０の光ヘッド主体部５１は、光ヘッド主体部５１を直線状に移動可能に支える長尺状軸部材６１が挿通可能な第二軸受部３２を備えている。第二軸受部３２に第二緩衝部２が備えられている。
【０１５４】
図１〜図１０に示す光ディスク装置１００に光ヘッド装置５０が装備されることにより、例えば軸部材６１，６２の長手方向Ｄｒに略沿って光ヘッド装置５０が落下し、そのときに、光ヘッド主体部５１を備える光ヘッド装置５０に対し、軸部材６１，６２の長手方向Ｄｒに略沿った方向に大きい衝撃が加えられても、光ヘッド装置５０を構成する光ヘッド主体部５１に加えられる衝撃は緩和される。光ヘッド装置５０の光ヘッド主体部５１を直線状に移動可能に支える長尺状軸部材６１は、光ヘッド主体部５１の各軸受部３１，３２に挿通される。軸部材６１が挿通可能な第二軸受部３２に衝撃を緩和させる第二緩衝部２が備えられているので、光ヘッド装置５０の光ヘッド主体部５１が軸部材６１，６２の長手方向Ｄｒに沿って軸部材６１，６２上を移動しているときに、軸部材６１上の停止部材７２（図９，図１０）に光ヘッド装置５０の第二緩衝部２が衝突し、これに伴って、光ヘッド装置５０を構成する光ヘッド主体部５１に衝撃が加えられようとされても、そのときの衝撃は、光ヘッド装置５０の光ヘッド主体部５１の第二軸受部３２に備えられた第二緩衝部２（図３）によって緩和される。
【０１５５】
光ディスク装置１００（図４〜図１０）を構成する軸部材６１，６２として、丸棒状の金属製スライドシャフト６１，６２が用いられている。また、金属製スライドシャフト６１に対応した略丸孔状の金属製または樹脂製滑り軸受部３８（図３）が、第二軸受部３２に設けられている。
【０１５６】
図１〜図１０に示す光ディスク装置１００に光ヘッド装置５０が装備されることにより、例えば丸棒状の金属製スライドシャフト６１，６２の長手方向Ｄｒに略沿って光ヘッド装置５０が落下し、そのときに、光ヘッド主体部５１を備える光ヘッド装置５０に対し、丸棒状の金属製スライドシャフト６１，６２の長手方向Ｄｒに略沿った方向に大きい衝撃が加えられても、光ヘッド主体部５１に加えられる衝撃は緩和される。光ヘッド装置５０の光ヘッド主体部５１の第二軸受部３２に設けられた金属製または樹脂製滑り軸受部３８に、丸棒状の金属製スライドシャフト６１が合わせられて、光ヘッド主体部５１を備える光ヘッド装置５０は、丸棒状の金属製スライドシャフト６１の長手方向Ｄｒに沿った方向に移動可能となる。丸棒状の金属製スライドシャフト６１，６２の長手方向Ｄｒに沿った方向の大きい衝撃が、光ヘッド装置５０の光ヘッド主体部５１に加えられようとされても、そのときの衝撃は、光ヘッド装置５０の光ヘッド主体部５１の第二軸受部３２に備えられた第二緩衝部２によって緩和されることとなる。
【０１５７】
光ヘッド装置５０の第二緩衝部２は、衝撃を吸収して緩和させる圧縮コイルばね１２と、衝撃を直接最初に受けるブッシュ２２と、光ヘッド主体部５１を直線状に移動可能に支える長尺状スライドシャフト６１が挿通可能な軸受部３２とを備えて構成されている。圧縮コイルばね１２とブッシュ２２とを収納可能な軸受部３２の収容室３４に、圧縮コイルばね１２とブッシュ２２とが装備されている。また、軸受部３２の収容室３４を構成する内壁面部３６に圧縮コイルばね１２が接すると共に、圧縮コイルばね１２にブッシュ２２が接している。
【０１５８】
このように光ヘッド装置５０の第二緩衝部２が構成されていれば、例えば、長尺状スライドシャフト６１，６２（図９，図１０）の長手方向Ｄｒと重力方向とが略一致した状態とされ、光ディスク装置１００のドライブ装置９０が上側の状態で光ディスク装置１００
が落下され、そのときに、光ディスク装置１００のシャーシ１１０に光ヘッド装置５０が衝突して、光ヘッド主体部５１を備える光ヘッド装置５０に大きい衝撃が加えられても、光ヘッド主体部５１に加えられる衝撃は、確実に緩和される。光ヘッド主体部５１に加えられようとされる大きい衝撃を緩和させるために、衝撃を吸収して緩和させる圧縮コイルばね１２（図３）と、衝撃を直接最初に受けるブッシュ２２と、光ヘッド主体部５１を直線状に移動可能に支える長尺状スライドシャフト６１が挿通可能な軸受部３２とを備える第二緩衝部２が、光ヘッド装置５０の光ヘッド主体部５１に設けられ、圧縮コイルばね１２とブッシュ２２とを収納可能な軸受部３２の収容室３４に、圧縮コイルばね１２とブッシュ２２とが装備され、軸受部３２の収容室３４を構成する内壁面部３６に圧縮コイルばね１２が接すると共に、圧縮コイルばね１２にブッシュ２２が接する構造の光ヘッド装置５０が構成されていれば、ブッシュ２２に大きい衝撃が加えられても、大きい衝撃は、ブッシュ２２と、軸受部３２の収容室３４を構成する内壁面部３６とに接する圧縮コイルばね１２に、確実に吸収されて緩和される。
【０１５９】
軸受部３２（図３）を構成する基準面部３２ｃおよび軸受部３２の収容室３４を構成する内壁面部３６の第二面部３２ｂを構成する部分は、軸受部３２の収容室３４内に圧縮コイルばね１２およびブッシュ２２が内装されたのちに閉じられる例えば略蓋状に形成される。また、光ディスク装置１００（図９，図１０）のシャーシ１１０の第二ストッパ７２に、光ヘッド装置５０の第二緩衝部２のブッシュ２２を確実に当接させるために、光ディスク装置１００のシャーシ１１０に設けられた第二ストッパ７２の停止面部７２ｃの当接面積は、光ヘッド装置５０の第二緩衝部２を構成するブッシュ２２の当接端面部２２ｃの当接面積よりも大きい面積とされている。
【０１６０】
光ヘッド装置５０を備える光ディスク装置１００が落下され、そのときに光ディスク装置１００が受けた衝撃により、長尺状スライドシャフト６１，６２の長手方向Ｄｒに沿って光ヘッド主体部５１が移動させられて、光ヘッド主体部５１の直線移動範囲を制限させるスライドシャフト６１上の第二ストッパ７２の停止面部７２ｃに、光ヘッド主体部５１の軸受部３２に装備されたブッシュ２２の当接端面部２２ｃが衝突したときに、ブッシュ２２（図３）に隣接する圧縮コイルばね１２が圧縮コイルばね１２の圧縮方向Ｄ２に沿って圧縮変形させられて、光ヘッド主体部５１に加えられる衝撃が緩和される。
【０１６１】
これにより、例えば、長尺状スライドシャフト６１，６２（図９，図１０）の長手方向Ｄｒと重力方向とが略一致した状態とされ、光ディスク装置１００のドライブ装置９０が上側の状態で光ディスク装置１００が落下され、そのときに、光ディスク装置１００のシャーシ１１０に光ヘッド装置５０が衝突して、光ヘッド主体部５１を備える光ヘッド装置５０に大きい衝撃が加えられても、光ヘッド主体部５１に加えられる衝撃は、確実に緩和される。スライドシャフト６１，６２の長手方向Ｄｒに沿って光ヘッド装置５０を構成する光ヘッド主体部５１が移動させられたときに、光ヘッド主体部５１の直線移動範囲を制限させるスライドシャフト６１上の第二ストッパ７２の停止面部７２ｃに、光ヘッド主体部５１の軸受部３２に装備されたブッシュ２２の当接端面部２２ｃが衝突した場合、ブッシュ２２（図３）に隣接する圧縮コイルばね１２が圧縮コイルばね１２の圧縮方向Ｄ２に沿って圧縮変形させられる。圧縮コイルばね１２が圧縮コイルばね１２の圧縮方向Ｄ２に沿って圧縮変形させられることにより、光ヘッド主体部５１に加えられる衝撃が確実に緩和されることとなる。
【０１６２】
圧縮コイルばね１２は、略湾曲状の第一端部１２ａと、第一端部１２ａの反対側の端部１２ｂとされる略湾曲状の第二端部１２ｂとを備えて形成されている。断面略丸状の線状素材にコイル状巻回処理が行われることにより、圧縮コイルばね１２が形成される。
【０１６３】
また、ブッシュ２２は、略円環状の第一端面部２２ａと、第一端面部２２ａの反対側の
端面部２２ｂとされる略円環状の第二端面部２２ｂと、第一端面部２２ａの反対側の端面部２２ｃとされると共に第二端面部２２ｂよりも先に突出形成された略円環状の第三端面部２２ｃとを備えて形成されている。また、ブッシュ２２は、略円筒状のブッシュ本体２６と、ブッシュ本体２６の直径よりも大きい直径の抜出し防止部２４いわゆる鍔２４とを備えて形成されている。ブッシュ２２の鍔２４は、軸受部３２の収容室３４からブッシュ２２が抜け出されることを防ぐためにブッシュ本体２６に設けられている。
【０１６４】
また、軸受部３２は、収容室３４を形成する略円環状の第一面部３２ａと、第一面部３２ａの反対側の面部３２ｂとされ収容室３４を形成する略円環状の第二面部３２ｂと、第二面部３２ｂの反対側の面部３２ｃとされると共に軸受部３２の外面部３２ｃを形成する異型状の第三面部３２ｃとを備えて形成されている。
【０１６５】
軸受部３２の収容室３４を形成する略円環状をした第一面部３２ａに、圧縮コイルばね１２の略湾曲状をした第一端部１２ａが当接されている。また、ブッシュ２２の略円環状をした第一端面部２２ａに、圧縮コイルばね１２の略湾曲状をした第二端部１２ｂが当接されている。また、軸受部３２の収容室３４を形成する略円環状をした第二面部３２ｂに、ブッシュ２２の鍔２４の略円環状をした第二端面部２２ｂが当接されている。このような状態は、第二緩衝部２に外力が加えられていない自然状態とされる。
【０１６６】
第二緩衝部２が自然状態とされているときには、軸受部３２の収容室３４の略円環状をした第一面部３２ａと、ブッシュ２２の略円環状をした第一端面部２２ａとの間に位置する端部略湾曲状の圧縮コイルばね１２が圧縮されることにより、圧縮コイルばね１２に常に復元弾性力が発生されて、ブッシュ２２の略円環状をした第三端面部２２ｃは、軸受部３２の異型状をした第三面部３２ｃよりも外側に常に位置する。
【０１６７】
このように光ヘッド装置５０の第二緩衝部２が構成されていれば、例えば、長尺状スライドシャフト６１，６２（図９，図１０）の長手方向Ｄｒと重力方向とが略一致した状態とされ、光ディスク装置１００のドライブ装置９０が上側の状態で光ディスク装置１００が落下され、そのときに、光ディスク装置１００のシャーシ１１０に光ヘッド装置５０が衝突して、光ヘッド装置５０を構成する光ヘッド主体部５１の第二緩衝部２に大きい衝撃が加えられても、光ヘッド主体部５１に加えられる衝撃は、確実に緩和される。衝撃を直接最初に受けるブッシュ２２（図３）と、ブッシュ２２に当接し衝撃を吸収して緩和させる圧縮コイルばね１２と、圧縮コイルばね１２に当接し光ヘッド主体部５１を直線状に移動可能に支える長尺状スライドシャフト６１が挿通可能な軸受部３２とにより、光ヘッド主体部５１の第二緩衝部２が構成され、ブッシュ２２と、圧縮コイルばね１２とを収納可能な軸受部３２の収容室３４に、ブッシュ２２と、常に復元弾性力が発生された圧縮コイルばね１２とが、それぞれ当接した状態で装備されることにより、光ヘッド主体部５１の第二緩衝部２のブッシュ２２に加えられる衝撃は、復元弾性力が発生された圧縮コイルばね１２にて確実に緩和される。
【０１６８】
圧縮コイルばね１２を構成する略湾曲状の第一端部１２ａと、略湾曲状の第二端部１２ｂとは、長尺状スライドシャフト６１の長手方向Ｄｒに対し、略直交する面を備えて形成されている。また、ブッシュ２２を構成する略円環状の第一端面部２２ａと、略円環状の第二端面部２２ｂと、略円環状の第三端面部２２ｃとは、長尺状スライドシャフト６１の長手方向Ｄｒに対し、略直交する面を備えて形成されている。また、軸受部３２の収容室３４を形成する略円環状の第一面部３２ａと、軸受部３２の収容室３４を形成する略円環状の第二面部３２ｂと、軸受部３２の外面部３２ｃを形成する異型状の第三面部３２ｃとは、長尺状スライドシャフト６１の長手方向Ｄｒに対し、略直交する面を備えて形成されている。
【０１６９】
光ヘッド装置５０（図９，図１０）を備える光ディスク装置１００が落下され、そのときに光ディスク装置１００が受けた衝撃により、長尺状スライドシャフト６１，６２の長手方向Ｄｒに沿って、光ヘッド装置５０の光ヘッド主体部５１が移動させられて、光ヘッド主体部５１の直線移動範囲を制限させるスライドシャフト６１上の第二ストッパ７２の停止面部７２ｃに、光ヘッド主体部５１の第二軸受部３２に装備されたブッシュ２２（図３）の本体２６の第三端面部２２ｃが衝突して、ブッシュ２２が第二軸受部３２の収容室３４内に向けて押動させられたときに、第二軸受部３２の収容室３４の第一面部３２ａと、ブッシュ２２の第一端面部２２ａとの間に位置し、ブッシュ２２の第一端面部２２ａに当接された圧縮状態の圧縮コイルばね１２が、圧縮コイルばね１２の圧縮方向Ｄ２に沿ってさらに圧縮変形させられることにより、圧縮コイルばね１２に衝撃が吸収される。
【０１７０】
これにより、例えば、長尺状スライドシャフト６１，６２（図９，図１０）の長手方向Ｄｒと重力方向とが略一致した状態とされ、光ディスク装置１００のドライブ装置９０が上側の状態で光ディスク装置１００が落下され、そのときに、光ディスク装置１００のシャーシ１１０に光ヘッド装置５０が衝突して、光ヘッド装置５０を構成する光ヘッド主体部５１の第二緩衝部２に大きい衝撃が加えられても、光ヘッド主体部５１に加えられる衝撃は、圧縮変形させられた圧縮コイルばね１２（図３）によって確実に吸収される。光ディスク装置１００（図９，図１０）が落下したことにより、スライドシャフト６１，６２の長手方向Ｄｒに沿って光ヘッド装置５０を構成する光ヘッド主体部５１が移動させられたときに、光ヘッド主体部５１の直線移動範囲を制限させるスライドシャフト６１上の第二ストッパ７２の停止面部７２ｃに、光ヘッド主体部５１の第二軸受部３２に装備されたブッシュ２２（図３）の本体２６の第三端面部２２ｃが衝突することとなる。そのような衝突が生じた場合、ブッシュ２２に当接された圧縮状態の圧縮コイルばね１２が、圧縮コイルばね１２の圧縮方向Ｄ２に沿ってさらに圧縮変形させられる。圧縮状態の圧縮コイルばね１２が圧縮コイルばね１２の圧縮方向Ｄ２に沿ってさらに圧縮変形させられることにより、光ヘッド装置５０の光ヘッド主体部５１に加えられる衝撃は、圧縮変形させられた圧縮コイルばね１２によって確実に吸収されることとなる。
【０１７１】
また、光ヘッド装置５０（図９，図１０）を備える光ディスク装置１００が落下され、そのときに光ディスク装置１００が受けた衝撃により、長尺状スライドシャフト６１，６２の長手方向Ｄｒに沿って、光ヘッド装置５０の光ヘッド主体部５１が移動させられて、光ヘッド主体部５１の直線移動範囲を制限させるスライドシャフト６１上の第二ストッパ７２の停止面部７２ｃに、光ヘッド主体部５１の第二軸受部３２に装備されたブッシュ２２（図３）の本体２６の第三端面部２２ｃが衝突して、ブッシュ２２が第二軸受部３２の収容室３４内に向けて押動させられたときに、第二緩衝部２を構成する可動ブッシュ２２の略丸孔状摺動面部２２ｆと、略丸棒状スライドシャフト６１の表面部６１ａとが摺接する。また、そのときに、第二緩衝部２を構成する可動ブッシュ２２の本体２６の略円筒状摺接面部２２ｄと、第二緩衝部２を構成する軸受部３２の略円孔状摺接面部３２ｄとが摺動する。
【０１７２】
また、光ディスク装置１００および光ヘッド装置５０に衝撃が加えられたときに、第二緩衝部２の可動ブッシュ２２が略丸棒状スライドシャフト６１の長手方向Ｄｒに略沿ってスムーズに動かされるために、可動ブッシュ２２の鍔２４の外周面部２２ｅと、第二緩衝部２の収容室３４の内周面部３２ｅとの間に、僅かな隙間が設けられ、第二緩衝部２の収容室３４の内周面部３２ｅに対し、可動ブッシュ２２の鍔２４の外周面部２２ｅは非接触とされている。
【０１７３】
上記光ヘッド装置５０の取付構造が構成されることにより、確実に光ヘッド装置５０の衝撃対策が行われる。
【０１７４】
この光ヘッド装置５０は、例えばデスクトップ型パーソナルコンピュータ（図示せず）等のパーソナルコンピュータ（ＰＣ：personal computer）用の光ディスク装置１００に装備可能な厚さ約３０ｍｍ以内の大きさ、具体的には厚さ約２５．４ｍｍ以内の大きさに形成される。この明細書における光ヘッド装置５０の厚さとは、フォーカス方向Ｄｆに沿った光ヘッド装置５０の例えば最大厚さとされる。
【０１７５】
落下衝撃を緩和させる緩衝部１，２（図１，図３）が構成された光ヘッド装置５０は、例えば、ノート型ＰＣもしくはラップトップ型ＰＣ（何れも図示せず）等の持運びが容易な小型ＰＣにも装備可能とされる。
【０１７６】
ノート型ＰＣもしくはラップトップ型ＰＣ等の持運びの容易な小型ＰＣに装備可能とされた小型／軽薄化サイズの光ヘッド装置５０に、落下衝撃を緩和させる緩衝部１，２が構成されていれば、ノート型ＰＣもしくはラップトップ型ＰＣ等の持運びの容易な小型ＰＣが不用意に落下され、これに起因して、持運びの容易な小型ＰＣに装備された光ヘッド装置５０に不具合が生じるということは、回避され易くなる。衝撃対策が行われた小型／軽薄化サイズの光ヘッド装置５０が、ノート型ＰＣもしくはラップトップ型ＰＣ等の持運びの容易な小型ＰＣに装備されていれば、小型ＰＣの落下に伴った光ヘッド装置５０の不具合は、発生され難くなる。
【０１７７】
この光ヘッド装置５０は、例えばノート型ＰＣもしくはラップトップ型ＰＣ等の持運びが容易なＰＣの光ディスク装置１００に装備可能な厚さ約１０ｍｍ以内の薄型、具体的には厚さ約７．３ｍｍ以内の薄型に形成される。ノート型ＰＣまたはラップトップ型ＰＣ等の持運びが容易なＰＣに対応する光ディスク装置１００や光ヘッド装置５０の設計／仕様などにもよるが、光ヘッド装置５０を構成する各種部品の最小の大きさ等により、薄型化される光ヘッド装置５０は、例えば厚さ約２ｍｍ程度以上、具体的には厚さ約３ｍｍ程度以上／超が必要と推察される。
【０１７８】
図４〜図１０の如く、光ディスク装置１００は、衝撃を緩和させる一対の緩衝部１，２が設けられた光ヘッド主体部５１を有する光ヘッド装置５０と、光ヘッド装置５０を直線状に移動可能に支える一対の長尺状スライドシャフト６１，６２と、光ヘッド装置５０の直線移動範囲を制限させる長尺状スライドシャフト６１上の一対のストッパ７１，７２とを備えて構成されている。
【０１７９】
このように光ディスク装置１００が構成されていれば、例えば、長尺状スライドシャフト６１，６２（図４，図７，図８）の長手方向Ｄｒと重力方向とが略一致した状態とされると共に、光ディスク装置１００のドライブ装置９０が下側の状態とされ、その状態で、長尺状スライドシャフト６１，６２の長手方向Ｄｒに略沿って光ディスク装置１００が落下され、そのときに、光ディスク装置１００のシャーシ１１０に光ヘッド装置５０が衝突して、光ヘッド主体部５１を備える光ヘッド装置５０に対し、長尺状スライドシャフト６１，６２の長手方向Ｄｒに略沿った方向に大きい衝撃が加えられても、光ヘッド装置５０の光ヘッド主体部５１に設けられた第一緩衝部１により、光ヘッド主体部５１に加えられる衝撃は緩和される。長尺状スライドシャフト６１，６２の長手方向Ｄｒに沿って光ヘッド装置５０が移動させられたときに、光ヘッド装置５０の直線移動範囲を制限させるスライドシャフト６１上の第一ストッパ７１に、光ヘッド装置５０の第一緩衝部１のブッシュ２１が衝突した場合、光ヘッド装置５０の光ヘッド主体部５１に設けられた第一緩衝部１により、光ヘッド主体部５１に加えられる衝撃は緩和される。
【０１８０】
また、例えば、長尺状スライドシャフト６１，６２（図９，図１０）の長手方向Ｄｒと重力方向とが略一致した状態とされると共に、光ディスク装置１００のドライブ装置９０が上側の状態とされ、その状態で、長尺状スライドシャフト６１，６２の長手方向Ｄｒに
略沿って光ディスク装置１００が落下され、そのときに、光ディスク装置１００のシャーシ１１０に光ヘッド装置５０が衝突して、光ヘッド主体部５１を備える光ヘッド装置５０に対し、長尺状スライドシャフト６１，６２の長手方向Ｄｒに略沿った方向に大きい衝撃が加えられても、光ヘッド装置５０の光ヘッド主体部５１に設けられた第二緩衝部２により、光ヘッド主体部５１に加えられる衝撃は緩和される。長尺状スライドシャフト６１，６２の長手方向Ｄｒに沿って光ヘッド装置５０が移動させられたときに、光ヘッド装置５０の直線移動範囲を制限させるスライドシャフト６１上の第二ストッパ７２に、光ヘッド装置５０の第二緩衝部２のブッシュ２２が衝突した場合、光ヘッド装置５０の光ヘッド主体部５１に設けられた第二緩衝部２により、光ヘッド主体部５１に加えられる衝撃は緩和される。
【０１８１】
従って、衝撃対策が行われた光ヘッド装置５０を備える光ディスク装置１００の提供が可能となる。上記光ヘッド装置５０の取付構造が構成された光ディスク装置１００が組み立てられることにより、確実に衝撃対策が行われた光ディスク装置１００を提供することができる。
【０１８２】
図４〜図１０の如く、この光ディスク装置１００は、少なくとも光ディスクのデータ、情報等の信号の読取り動作が実行可能とされた光ヘッド装置５０を有するものとされている。詳しく説明すると、この光ディスク装置１００は、光ディスクのデータ、情報等の信号の読取りまたは光ディスクに対するデータ、情報等の信号の書込みもしくは書換えもしくは消去の何れか一つ以上の動作が実行可能とされた光ヘッド装置５０を有するものとされている。また、この光ディスク装置１００は、光ヘッド装置５０の光ヘッド主体部５１に落下などによる衝撃が加えられようとされるときに、衝撃を緩和させる一対の緩衝部１，２（図１，図３〜図１０）を光ヘッド装置５０の光ヘッド主体部５１に備えるものとされている。
【０１８３】
光ディスク装置１００を構成する光ヘッド装置５０の光ヘッド主体部５１に衝撃を緩和させる一対の緩衝部１，２が備えられていれば、例えば光ヘッド装置５０を備える光ディスク装置１００が落下して、光ディスク装置１００を構成する光ヘッド装置５０に衝撃が加えられても、光ディスク装置１００に備えられた光ヘッド装置５０の光ヘッド主体部５１の緩衝部１又は２により、光ヘッド装置５０の光ヘッド主体部５１に加えられる衝撃が緩和される。従来の光ディスク装置のヘッド装置（何れも図示せず）に衝撃が加えられると、例えばヘッド装置を構成する各部品の固定位置に「ずれ」が生じ、これに起因して、ヘッド装置に例えば動作不良などの不具合が生じることが懸念されていた。しかしながら、光ヘッド装置５０の光ヘッド主体部５１に落下などによる衝撃が加えられようとされるときに、衝撃を緩和させる一対の緩衝部１，２が、光ディスク装置１００を構成する光ヘッド装置５０の光ヘッド主体部５１に備えられているので、衝撃が直接光ヘッド装置５０の光ヘッド主体部５１に加えられるということは回避される。従って、光ヘッド装置５０の光ヘッド主体部５１の衝撃対策が行われた光ディスク装置１００の提供が可能となる。
【０１８４】
光ディスク装置１００の設計／仕様などにより、光ヘッド装置５０の光ヘッド主体部５１に装備された一対の緩衝部１，２を有する光ディスク装置１００に代えて、例えばシャーシ（１１０）等の基盤（１１０）に一対の緩衝部（１），（２）が装備された光ディスク装置（１００）も使用可能とされる。
【０１８５】
次に各部品、各部材等を形成する各材料／各組成物等について説明する。
【０１８６】
緩衝部１，２（図３）のコイルばね１１，１２の形成材料として、例えば、「ＪＩＳ  Ｇ  ４３１４」に基づいて定められた「ばね用ステンレス鋼線」が挙げられる。「ＪＩＳ
Ｇ  ４３１４」に基づいて定められた「ばね用ステンレス鋼線」として、例えば、ＳＵ
Ｓ３０２，ＳＵＳ３０４，ＳＵＳ３０４Ｎ１，ＳＵＳ３１６，ＳＵＳ６３１Ｊ１等が挙げられる。「ばね用ステンレス鋼線」は、耐食性に優れたばね用線材である。例えば、「ＪＩＳ  Ｇ  ４３１４」にて定められたＳＵＳ３０４の「ばね用ステンレス鋼線」が用いられる。
【０１８７】
また、緩衝部１，２のコイルばね１１，１２の形成材料として、例えば、「ＪＩＳ  Ｇ
３５２２」に基づいて定められた「ピアノ線」が挙げられる。「ＪＩＳ  Ｇ  ３５２２」に基づいて定められた「ピアノ線」として、例えば、ＳＷＰ等が挙げられる。「ピアノ線」は、耐疲労性に優れたばね用線材である。鍍金で覆われたピアノ線材が用いられることにより、耐食性と共に耐疲労性に優れたコイルばね１１，１２が形成される。
【０１８８】
また、ブッシュ２１，２２（図３）の形成材料として、例えば鍛造加工が可能な金属が挙げられる。光ヘッド装置５０または光ディスク装置１００の設計／仕様などにより、ブッシュ２１，２２には、例えば軸受としての機能をも果すことが要求される。ブッシュ２１，２２は、例えば軸受を兼ねたものとされる。
【０１８９】
例えば、ブッシュ２１，２２の形成材料として、銅を主成分とする非鉄金属が挙げられる。銅を主成分とする非鉄金属材料として、例えば、加工性や耐食性などのよいタフピッチ銅が挙げられる。タフピッチ銅として、例えば、「ＪＩＳ  Ｈ３１００」に基づいて定められたＣ１１００等が挙げられる。また、銅を主成分とする非鉄金属材料として、例えば、加工性や耐食性などのよい無酸素銅が挙げられる。無酸素銅として、例えば、「ＪＩＳ  Ｈ３１００」に基づいて定められたＣ１０２０等が挙げられる。また、銅を主成分とする非鉄金属材料として、例えば、加工性や耐食性などのよいりん脱酸銅が挙げられる。りん脱酸銅として、例えば、「ＪＩＳ  Ｈ３１００」に基づいて定められたＣ１２０１等が挙げられる。
【０１９０】
また、ブッシュ２１，２２の形成材料として、例えば、粉末冶金などの金属が挙げられる。詳しく説明すると、ブッシュ２１，２２の形成材料として、例えば、銅（Ｃｕ）、鉄（Ｆｅ）の何れか一方または両方を含む焼結含油合金が挙げられる。また、焼結金属部材に含ませる油として、例えば、鉱物系油、合成油などが挙げられる。油として、例えば、高度精製鉱油、エステル系合成油、パーフルオロポリエーテル等のフッ素系合成油などが挙げられる。
【０１９１】
また、ブッシュ２１，２２の形成材料として、例えば、「ＪＩＳ  Ｇ  ４８０５」に基づいて定められた「高炭素クロム軸受鋼」が挙げられる。「ＪＩＳ  Ｇ  ４８０５」に基づいて定められた「高炭素クロム軸受鋼」として、例えば、ＳＵＪ１，ＳＵＪ２，ＳＵＪ３，ＳＵＪ４，ＳＵＪ５等が挙げられる。「高炭素クロム軸受鋼」は、焼入れ処理が行われることにより硬度が向上され、また、耐久性に優れるものとされている。これらの金属は、例えば硬質金属とされる。
【０１９２】
また、合成重合体が基材として用いられて、レンズホルダ、ハウジング３、ＯＢＬ５、ブッシュ２１，２２、摺接部材４０およびターンテーブル９５等が形成される。詳しく説明すると、射出成形が可能であって熱可塑性の耐熱性合成樹脂材料が基材として用いられて、レンズホルダ、ハウジング３、ＯＢＬ５、ブッシュ２１，２２、摺接部材４０およびターンテーブル９５等が形成される。射出成形が可能であって熱可塑性の耐熱性合成樹脂材料として、例えば、全芳香族系液晶ポリエステル樹脂などの液晶ポリマ（liquid crystal polymer：ＬＣＰ）系樹脂や、ポリフェニレンサルファイド（poly phenylene sulfide：ＰＰＳ）樹脂などのポリアリーレンサルファイド（poly arylene sulfide：ＰＡＳ）系樹脂や、アクリル／メタクリル／ポリメチルメタクリレート（polymethyl methacrylate：ＰＭＭＡ）系樹脂や、ポリカーボネート（polycarbonate：ＰＣ）系樹脂や、ポリブチ
レンテレフタレート（poly buthylene terephthalete：ＰＢＴ）系樹脂や、ポリエーテルエーテルケトン（polyetheretherketone：ＰＥＥＫ（登録商標））、ポリアリールエーテルケトン（polyaryletherketone：ＰＥＡＫ）などのケトン系樹脂や、ポリオキシメチレン（polyoxymethylene：ＰＯＭ）系樹脂などが挙げられる。例えば鉄の比重が略７．８５〜７．８７とされ、銅の比重が略８．９２〜８．９５とされているのに対し、合成重合体もしくは合成樹脂を基材とした樹脂組成物の比重は、例えば略０．８〜略２とされる。各部品が合成樹脂化されることにより各部品の軽量化が図られる。
【０１９３】
例えば、ＬＣＰ，ＰＰＳ，ＰＡＳ，ＰＭＭＡ，ＰＣ，ＰＢＴ，ＰＥＥＫ，ＰＥＡＫ，ＰＯＭからなる群から選択される少なくとも一種以上の熱可塑性合成樹脂材料が用いられて、ブッシュ２１，２２が形成される。ＬＣＰ，ＰＰＳ，ＰＡＳ，ＰＭＭＡ，ＰＣ，ＰＢＴ，ＰＥＥＫ，ＰＥＡＫ，ＰＯＭ等の射出成形が可能であって熱可塑性の耐熱性合成樹脂材料が基材として用いられてブッシュ２１／２２が形成されていれば、例えば鍔２３／２４を有する複雑な形状のブッシュ２１／２２とされていても、ブッシュ２１／２２は効率よく安価に大量生産される。熱可塑性の合成樹脂材料が基材として用いられて射出成形法に基づきブッシュ２１／２２が形成されることにより、ブッシュ２１／２２は効率よく大量に生産される。これにより、ブッシュ２１，２２の価格低減化が図られる。ブッシュ２１，２２の価格低減化が図られることにより、ブッシュ２１，２２を備える光ヘッド装置５０や、そのような光ヘッド装置５０を備える光ディスク装置１００の価格低減化が図られる。
【０１９４】
また、スライドシャフト６１，６２（図１，図２，図４〜図１０）の形成材料として、例えば、「ＪＩＳ  Ｇ  ４３０４」に基づいて定められた「熱間仕上ステンレス鋼棒」が挙げられる。また、スライドシャフト６１，６２の形成材料として、例えば、「ＪＩＳ  Ｇ  ４３１８」に基づいて定められた「冷間成形ステンレス鋼棒」が挙げられる。
【０１９５】
具体的なステンレス材料として、クロム（Ｃｒ）が約１６〜１８％含有されると共にニッケル（Ｎｉ）が約６〜８％含有され加工性に優れるオーステナイト系ステンレス鋼（例：ＳＵＳ３０１）等が挙げられる。また、具体的なステンレス材料として、クロム（Ｃｒ）が約１３〜１９％含有されると共に硫黄（Ｓ）とリン（Ｐ）とが少量含有され快削性に優れるオーステナイト系ステンレス鋼（例：ＳＵＳ３０３）等が挙げられる。また、具体的なステンレス材料として、クロム（Ｃｒ）が約１８〜２０％含有されると共にニッケル（Ｎｉ）が約８〜１０．５％含有されて非磁性とされると共に耐食性に優れるオーステナイト系ステンレス鋼（例：ＳＵＳ３０４）等が挙げられる。オーステナイト系ステンレス鋼は、非磁性とされていることから、オーステナイト系ステンレス鋼材が用いられてスライドシャフト６１，６２が形成されていれば、例えば光ヘッド装置５０等に磁気による悪影響が及ぼされるということは回避される。また、上記ＳＵＳ３０４は、クロム（Ｃｒ）が含有されると共にニッケル（Ｎｉ）が含有されることから、クロム−ニッケル系ステンレス鋼などと呼ばれる。
【０１９６】
光ヘッド装置５０（図１〜図３）を構成するハウジング３は、例えば、アルミニウム（Ａｌ）、マグネシウム（Ｍｇ）、亜鉛（Ｚｎ）からなる群から選択される少なくとも一種以上の元素を含有する金属が用いられて形成される。詳しく説明すると、光ヘッド装置５０を構成するハウジング３は、例えば、アルミニウム（Ａｌ）、マグネシウム（Ｍｇ）、亜鉛（Ｚｎ）などの非鉄金属や、アルミニウム（Ａｌ）、マグネシウム（Ｍｇ）、亜鉛（Ｚｎ）を含有する合金が用いられて形成される。アルミニウム、マグネシウム、亜鉛は、耐食性に優れたものとされ、鉄よりも比重の小さい非鉄金属とされている。例えばアルミニウムを主成分とするアルミニウム合金などの非鉄金属材料が用いられてハウジング３が形成される。
【０１９７】
光ヘッド装置５０の設計／仕様などにより、例えば、ハウジング３の滑り軸受部３７，３８に代えて、ハウジング３と別体の略円筒状の銅製滑り軸受部材（図示せず）が軸受部（３１，３２）に装備されてもよい。
【０１９８】
また、光ヘッド装置５０の設計／仕様などにより、例えば、射出成形が可能であって耐熱性を有する上記熱可塑性の合成樹脂材料が用いられて形成されたハウジング３も使用可能とされている。
【０１９９】
合成樹脂材料が用いられハウジング３が形成されることにより、ハウジング３の軽量化が図られる。従って、ハウジング３を備える光ヘッド装置５０の軽量化が図られる。また、合成樹脂材料が用いられ射出成形法に基づいてハウジング３が形成されることにより、複雑な形状のハウジング３とされていても、効率よく大量にハウジング３が生産される。
【０２００】
ハウジング３、ブッシュ２１，２２、摺接部材４０、ターンテーブル９５、レンズホルダは、例えば、薄肉成形性に優れると共に耐熱性に優れ、また射出成形性に優れ、さらに鉄材などよりも軽量化が可能とされるＬＣＰが基材として用いられて形成される。耐熱性に優れるタイプＩのＬＣＰとして、例えば、住友化学社製：スミカスーパー（登録商標）等が挙げられる。また、スミカスーパー（登録商標）の商品として、例えば、Ｅ５００８Ｌ，Ｅ６００８等が挙げられる。また、耐熱性に優れるタイプＩのＬＣＰとして、例えば、新日本石油社製：ザイダー（登録商標）等が挙げられる。また、ザイダー（登録商標）の商品として、例えば、３００シリーズ、４００シリーズ、ＲＣ，ＦＣシリーズ等が挙げられる。詳しく説明すると、ザイダー（登録商標）の商品として、例えば、グレードＭ−３５０、グレードＭ−４５０、グレードＦＣ−１２０等が挙げられる。また、タイプIIのＬＣＰとして、例えば、ポリプラスチックス社製：ベクトラ（登録商標）等が挙げられる。また、ベクトラ（登録商標）の商品として、例えば、グレードＡ４１０，Ｓ４７１等が挙げられる。タイプＩ、タイプIIのＬＣＰは、例えば全芳香族液晶ポリエステルとされている。タイプＩ等のＬＣＰは、薄肉成形性に優れると共に半田付け等が行われるときの耐熱性に優れているので、例えばレンズホルダを形成するときの材料として好適な材料とされている。
【０２０１】
また、ハウジング３、ブッシュ２１，２２、摺接部材４０、ターンテーブル９５、レンズホルダは、例えば、射出成形性、機械的特性、熱安定性、寸法安定性などに優れ、さらに鉄材などよりも軽量化が可能とされるＰＰＳ等のＰＡＳが基材として用いられて形成される。ＰＰＳを基材とした組成物として、例えば大日本インキ化学工業社製：ＤＩＣ（登録商標）等が挙げられる。具体的なＰＰＳを基材とした組成物として、例えば、非強化のリニア型ＰＰＳとされる大日本インキ化学工業製：「ＤＩＣ・ＰＰＳ＿ＦＺ−２１００」や、ガラス繊維３０％強化のリニア型ＰＰＳとされる大日本インキ化学工業社製：「ＤＩＣ・ＰＰＳ＿ＦＺ−２１３０」等が挙げられる。
【０２０２】
また、ＯＢＬ５、ブッシュ２１，２２は、例えば、耐候性、鏡面平滑性、耐擦傷性、板厚精度などに優れ、透明度が高く強靭なアクリル／メタクリル系樹脂が基材として用いられて形成される。メタクリル樹脂の正式名称は、ポリメチルメタクリレート（polymethyl
methacrylate）であり、ポリメチルメタクリレートは、例えばＰＭＭＡと略称される。また、メタクリル樹脂は、アクリル樹脂と呼ばれることもある。ＰＭＭＡを基材とした組成物として、例えば三菱レイヨン製：アクリペット（登録商標）等が挙げられる。具体的なＰＭＭＡを基材とした組成物として、例えば、標準グレードの三菱レイヨン社製：アクリペット「ＶＨ  ００１」や、耐衝撃性グレードの三菱レイヨン社製：アクリペット「ＶＲ  Ｌ４０」等が挙げられる。
【０２０３】
また、ハウジング３、ＯＢＬ５、ブッシュ２１，２２、摺接部材４０、ターンテーブル
９５、レンズホルダは、例えば、加工性などに優れ、価格低減化が図られ、さらに鉄材などよりも軽量化が可能とされるＰＣが基材として用いられて形成される。ＰＣを基材とした組成物として、例えば出光興産社製：タフロン（登録商標）等が挙げられる。具体的なＰＣを基材とした組成物として、例えば、ナチュラルタイプの出光興産社製：タフロンＲＥ２５００や、ガラス繊維強化タイプの出光興産社製：タフロンＧ−２５３０等が挙げられる。
【０２０４】
また、ブッシュ２１，２２、摺接部材４０、ターンテーブル９５は、例えば、熱安定性性や、電気的特性や、機械的特性などに優れるＰＢＴが基材として用いられて形成される。ＰＢＴを基材としたものとして、例えば三菱エンジニアリングプラスチックス社製：ノバデュラン（登録商標）ＧＦ強化難燃グレードのもの等が挙げられる。「ＧＦ強化」とは、基材にガラスファイバーが混合されることで機械的特性などが強化されたものを意味する。具体的なノバデュラン（登録商標）の商品として、例えば、ＧＦ強化ＨＢタフグレード「５０１０ＧＴ３０」等が挙げられる。
【０２０５】
また、ハウジング３、ブッシュ２１，２２、摺接部材４０、ターンテーブル９５、レンズホルダは、例えば、強度特性に優れ、また、耐熱性に優れ、射出成形性に優れ、さらに鉄材などよりも軽量化が可能とされるＰＥＥＫ（登録商標），ＰＥＡＫなどのケトン系樹脂が基材として用いられて形成される。ＰＥＥＫ材料を基材とした組成物として、例えば、英国ビクトレックス社製／ビクトレックス・エムシー社販売：「ＶＩＣＴＲＥＸ（登録商標）ＰＥＥＫ（登録商標）」などが挙げられる。また、具体的なＶＩＣＴＲＥＸ（登録商標）の商品として、例えば、「ＶＩＣＴＲＥＸ  ＰＥＥＫ  ４５０Ｇ」等が挙げられる。
【０２０６】
また、ブッシュ２１，２２、摺接部材４０は、例えば、摺動性、耐摩耗性、耐疲労性、機械的特性、成形性に優れるＰＯＭが基材として用いられて形成される。ＰＯＭとして、例えば安定性の高いコポリマーのＰＯＭが挙げられる。ＰＯＭを基材とした組成物として、例えばポリプラスチックス社製：ジュラコン（登録商標）などが挙げられる。また、具体的なジュラコン（登録商標）の商品として、例えば、「ジュラコン  Ｍ９０Ｓ」等が挙げられる。
【０２０７】
合成重合体が基材として用いられて、レンズホルダ、ハウジング３、ＯＢＬ５、ブッシュ２１，２２、摺接部材４０およびターンテーブル９５等が形成されることにより、光ヘッド装置５０の総重量が軽くなる。詳しく説明すると、射出成形が可能であって熱可塑性の耐熱性合成樹脂材料が基材として用いられて、レンズホルダ、ハウジング３、ＯＢＬ５、ブッシュ２１，２２、摺接部材４０およびターンテーブル９５等が形成されることにより、光ヘッド装置５０の総重量が軽くなる。光ヘッド装置５０の総重量が軽量化されることにより、例えば光ヘッド装置５０が落下されるときの光ヘッド装置５０の運動量が減らされる。そのため、光ヘッド装置５０（図７，図８）が光ディスク装置１００の一側に落下されて、光ディスク装置１００を構成するシャーシ１１０の第一ストッパ７１に光ヘッド装置５０が衝突したり、光ヘッド装置５０（図９，図１０）が光ディスク装置１００の他側に落下されて、光ディスク装置１００を構成するシャーシ１１０の第二ストッパ７２に光ヘッド装置５０が衝突したりすることがあっても、例えば光ヘッド装置５０全体に加えられる衝撃量が減らされるものと期待される。
【０２０８】
光ヘッド装置５０（図１〜図１０）が装備される光ディスク装置１００（図４〜図１０）のスライドシャフト６１，６２に、スライドシャフト６１，６２と、光ヘッド装置５０の軸受部３７（図３），３８（図３），３９（図１，図２，図４〜図１０）との摺動性を向上させる潤滑剤（図示せず）が塗布される。潤滑剤は、スライドシャフト６１と、光ヘッド装置５０の緩衝部１，２のブッシュ２１，２２との摺動性を向上させる役割をも果す
。
【０２０９】
詳しく説明すると、略丸棒状の第一スライドシャフト６１（図３）の表面部６１ａに、軸受部３１／３２の小径の略丸孔状滑り軸受部３７／３８の摺動面部３７ａ／３８ａと、略丸棒状スライドシャフト６１の表面部６１ａとの摺動性を向上させる不図示の潤滑剤が塗布される。また、略丸棒状の第一スライドシャフト６１の表面部６１ａに、ブッシュ２１／２２の略円筒状内面部２１ｆ／２２ｆと、略丸棒状スライドシャフト６１の表面部６１ａとの摺動性を向上させる不図示の潤滑剤が塗布される。また、略丸棒状の第二スライドシャフト６２（図２）の表面部６２ａに、横倒し状の略Ｕ字状滑り軸受構造をした軸受部３９の摺動面部３９ａと、略丸棒状スライドシャフト６２の表面部６２ａとの摺動性を向上させる不図示の潤滑剤が塗布される。また、ブッシュ２１／２２（図３）の本体２５／２６の略円筒状面部２１ｄ／２２ｄに、軸受部３１／３２の大径の略円孔状摺接面部３１ｄ，３２ｄと、ブッシュ本体２５／２６の略円筒状摺接面部２１ｄ／２２ｄとの摺動性を向上させる不図示の潤滑剤が塗布される。潤滑剤として例えばセミドライ系のグリース等が用いられる。
【０２１０】
また、潤滑剤として、光ヘッド装置５０の軸受部３７，３８，３９と、ブッシュ２１，２２と、スライドシャフト６１，６２とに付着可能な半固体状潤滑剤が用いられている。
【０２１１】
これにより、光ディスク装置１００における潤滑剤の飛散は抑えられる。潤滑剤として半固体状潤滑剤が用いられているので、潤滑剤は、光ヘッド装置５０の軸受部３７，３８，３９と、ブッシュ２１，２２と、スライドシャフト６１，６２とに、長期に亘って確実に付着され続ける。従って、光ヘッド装置５０の繰返し高速往復移動により、潤滑剤の飛散が発生して、飛散された潤滑剤が光ディスク装置１００の光ヘッド装置５０に付着し、これが原因で光ヘッド装置５０が正常に作動されないという不具合の発生は回避される。
【０２１２】
半固体状潤滑剤として、基油と、増ちょう剤と、添加剤とを含有するグリースが用いられる。
【０２１３】
これにより、光ディスク装置１００の光ヘッド装置５０は、長期に亘ってスライドシャフト６１，６２上を滑らか且つ確実に往復移動する。また、グリースは、光ヘッド装置５０の軸受部３７，３８，３９と、ブッシュ２１，２２と、スライドシャフト６１，６２とに、長期に亘って確実に付着され続ける。
【０２１４】
グリースに基油が含有されることにより、スライドシャフト６１，６２に対する光ヘッド装置５０の軸受部３７，３８，３９の摺動性、及び／又は、スライドシャフト６１，６２に対するブッシュ２１，２２の摺動性が向上する。スライドシャフト６１，６２上を光ヘッド装置５０が移動するときに、グリースの油膜がスライドシャフト６１，６２の表面に形成される。油膜がスライドシャフト６１，６２の表面に形成されることにより、例えば、光ヘッド装置５０の軸受部３７，３８，３９、又は、光ヘッド装置５０のブッシュ２１，２２、又は、スライドシャフト６１，６２の何れか又は全てに偏摩耗が生じ、その結果、光ヘッド装置５０が精度よくスライドシャフト６１，６２上を摺動できないという不具合の発生は回避される。
【０２１５】
また、グリースに増ちょう剤が含まれることにより、グリースが甚だしく飛散されるということは回避される。例えば、飛散されたグリースが光ディスクに付着したり、飛散されたグリースが光ヘッド装置５０のＯＢＬ５などに付着したりして、その結果、光ディスク装置１００が正常に作動されないといった不具合の発生は回避される。従って、摺動動作保証と、グリース飛散問題とが解決された光ディスク装置１００が、光ディスク装置１００の組立メーカや、光ディスク装置１００の使用者等に提供可能となる。
【０２１６】
また、基油と増ちょう剤とが適度に配合されてなるグリースは、基油と増ちょう剤との相互作用により優れた摺動特性を発揮する。
【０２１７】
また、グリースに添加剤が含まれることにより、グリースの各種特性が向上する。
【０２１８】
グリースとして、例えば、石けん基グリース、コンプレックス石けん基グリース、非石けん基グリース、鉱物油系グリース、合成油系グリースなどが挙げられる。石けん基グリースは、基油を媒体として、脂肪酸と金属水酸化物とから製造される。脂肪酸として、Ｃ１８を中心として精製ステアリン酸やひまし油の硬化脂肪酸である１２ヒドロオキシステアリン酸が用いられる。金属源として、リチウム、ナトリウムなどのアルカリ金属や、カルシウム、バリウムなどのアルカリ土類金属の水酸化物が用いられる。
【０２１９】
代表的なグリースとして、例えば、リチウム石けん系グリースなどが挙げられる。リチウム石けん系グリースは、増ちょう剤としてリチウム石けんが含有されたものである。電子顕微鏡が用いられて、リチウム石けんが略１０４の倍率で拡大視されたときに、リチウム石けんは、繊維状構造物として観察される。また、安定性のよいグリースとして、フッ素系グリースなどが挙げられる。フッ素系グリースは、例えば、パーフルオロポリエーテル等のフッ素系合成油などを基油とし、増ちょう剤として例えば四フッ化エチレン樹脂（Poly Tetra Fluoro Ethylene：ＰＴＦＥ）等のフッ素系樹脂が含有されたものである。また、グリースの基油として、例えば、鉱物系基油、合成基油などが挙げられる。
【０２２０】
グリースの商品や種類などについて詳しく説明すると、グリースとして、例えば、協同油脂社製：ユニルーブ（登録商標）、マルテンプ（登録商標）、昭和シェル石油製：アルバニヤ（登録商標）、協同油脂社製：フルトライボ（商品名）などが挙げられる。例えば、リチウム石けん系グリースとして、協同油脂社製：ユニルーブＭＰ（商品名）、昭和シェル石油製：アルバニヤグリースＲＡ，アルバニヤグリースＨＶＱ（何れも商品名）などが挙げられる。また、例えば、フッ素系グリースとして、協同油脂社製：フルトライボＭＨ（商品名）などが挙げられる。
【０２２１】
協同油脂社製：ユニルーブＭＰは、鉱油と、リチウム石けんと、添加剤とを備えるリチウム石けん系グリースである。添加剤として極圧剤が用いられている。極圧剤として、例えば、二硫化モリブデン、グラファイトなどが挙げられる。ユニルーブＭＰとして、例えば、ユニルーブＭＰグレードＮｏ．２が挙げられる。このグリース組成物は、「ＪＩＳ  Ｋ２２２０  ５．３」の試験法に基づく混和ちょう度が２６５〜２９５とされる。
【０２２２】
また、合成油系グリースとして、協同油脂社製：マルテンプＡＣ−Ｄ（商品名）、昭和シェル石油製：アルバニヤグリースＨＶＱ（商品名）、協同油脂社製：フルトライボＭＨ（商品名）などが挙げられる。協同油脂社製：マルテンプＡＣ−Ｄは、油分の拡散性を抑制させたものである。また、昭和シェル石油製：アルバニヤグリースＨＶＱは、グリースとしての寿命を向上させた合成油系リチウム石けんグリースである。また、協同油脂社製：フルトライボＭＨ（商品名）は、耐熱性が向上されたものである。
【０２２３】
昭和シェル石油製：アルバニヤグリースＲＡは、低粘度の高度精製鉱油を基油とし、リチウム石けんを増ちょう剤として、これらに酸化防止剤および防錆剤などの添加剤が混合されて構成されている。高度精製鉱油は、石油系炭化水素とされる。また、リチウム石けんとしてリチウム１２−ヒデロキシステアレートが用いられている。昭和シェル石油製：アルバニヤグリースＲＡは、低粘度の高度精製鉱油８０〜８５質量％、リチウム１２−ヒデロキシステアレート１０〜１５質量％、酸化防止剤、防錆剤などの添加剤１０質量％以下を含有する組成物からなる。この組成物は、「ＪＩＳ  Ｋ２２２０  ５．３」の試験法
に基づく混和ちょう度が略２５２とされている。混和ちょう度が略２５２とされるグリース組成物は、適度な粘度をもつものとされ好ましい。
【０２２４】
昭和シェル石油製：アルバニヤグリースＨＶＱは、エステル系合成油を基油とし、リチウム石けんを増ちょう剤として、これらに添加剤が混合されて構成されている。エステル系合成油は、低温特性に優れる石油系炭化水素とされる。昭和シェル石油製：アルバニヤグリースＨＶＱは、エステル系合成油８５〜９０質量％、リチウム石けん１０〜１５質量％、添加剤５質量％以下を含有する組成物からなる。この組成物は、「ＪＩＳ  Ｋ２２２０  ５．３」の試験法に基づく混和ちょう度が略２４５とされている。混和ちょう度が略２４５とされるグリース組成物は、適度な粘度をもつものとされ好ましい。
【０２２５】
協同油脂社製：フルトライボＭＨ（商品名）は、フッ素系合成油を基油とし、フッ素系樹脂を増ちょう剤として、これら等が混合されて構成されている。フルトライボＭＨとして、例えば、フルトライボＭＨグレードＮｏ．２が挙げられる。
【０２２６】
また、例えば、基油７５〜９５質量％、増ちょう剤５〜２５質量％、添加剤０質量％を超え１５質量％以下を含有する組成物からなるグリースが用いられることが好ましい。
【０２２７】
グリースにおける基油の含有量が７５質量％よりも少ないと、潤滑性に期待できない。従って、スライドシャフト６１，６２に対する光ヘッド装置５０の軸受部３７，３８，３９、及び、ブッシュ２１，２２の摺動性低下が懸念される。また、グリースにおける基油の含有量が９５質量％を超える場合、増ちょう剤の配合量が不足する。基油の含有量が９５質量％を超えて配合されたグリースは、グリースの飛散が生じ難い半固体状のものとして維持され難い。そのため、基油の含有量が９５質量％を超えて配合されたグリースが光ディスク装置１００に用いられた場合、光ディスク装置１００にグリースの飛散が生じることが懸念される。
【０２２８】
また、グリースにおける増ちょう剤の含有量が５質量％よりも少ないと、グリースが半固体状とされ難く、グリースがスライドシャフト６１，６２から流れ落ちることが懸念される。グリースにおける増ちょう剤の含有量が２５質量％を超える場合、グリースのちょう度／粘度が増大され、スライドシャフト６１，６２に対する光ヘッド装置５０の軸受部３７，３８，３９、及び、ブッシュ２１，２２の摺動特性に支障をきたすことが懸念される。
【０２２９】
また、添加剤が含有されていないグリースは、グリース特性の向上を期待できない。また、グリースにおける添加剤の含有量が１５質量％を超える場合、基油または増ちょう剤の含有量が低下し、グリースの摺動特性の低下が懸念される。
【０２３０】
光ディスク装置１００に用いられるグリースとして、例えば、基油８０〜９０質量％、増ちょう剤１０〜１５質量％、添加剤０質量％を超え１０質量％以下を含有する組成物からなるグリースが用いられることがより好ましい。
【０２３１】
グリース組成物に、基油が８０〜９０質量％含有され、増ちょう剤が１０〜１５質量％含有されることで、増ちょう剤から適度に基油が滲み出され、スライドシャフト６１，６２に対する光ヘッド装置５０の軸受部３７，３８，３９、及び、ブッシュ２１，２２の潤滑性が維持される。また、グリース組成物に、基油が８０〜９０質量％含有され、増ちょう剤が１０〜１５質量％含有されることで、グリースは半固体状のものとして維持される。従って、スライドシャフト６１，６２に対し、光ヘッド装置５０の軸受部３７，３８，３９、及び／又は、ブッシュ２１，２２が摺動されたときに、グリースが飛散されるということは回避される。また、グリース組成物に、二硫化モリブデン、グラファイト、酸化
防止剤、防錆剤からなる群から選択される少なくとも一種以上の添加剤が０質量％を超え１０質量％以下含有されることで、グリースの諸特性が向上する。
【０２３２】
また、「ＪＩＳ  Ｋ２２２０  ５．３」の試験法に基づく混和ちょう度が１６０〜４００のグリースを用いることが好ましい。
【０２３３】
ここで、「ＪＩＳ  Ｋ２２２０  ５．３」の試験法に基づいて、グリースのちょう度が測定される過程について説明する。先ず、測定対象のグリース（図示せず）を所定の測定器（図示せず）にすりきり状態となるまで入れる。次に、規定の形状に形成された円すい形治具を保持具と共にグリースの上に載せる（何れも図示せず）。円すい形治具の質量は、１０２．５±０．０５ｇとされている。また、保持具の質量は、４５．５±０．０２ｇとされている。保持具を備える円すい形治具がグリース上に載せられると、保持具付円すい形治具は、自重によりグリースの中に侵入してゆく。保持具付円すい形治具をグリースの上に載せてから５±０．１秒後に、円すい形治具がグリース内にどの程度侵入したかを測定する。すなわち、円すい形治具の侵入深さ（単位：ｍｍ）を測定する。測定された侵入深さを１０倍した値がグリースのちょう度とされる。混和ちょう度の値が小さいグリースは、硬いグリースとされ、混和ちょう度の値が大きいグリースは、軟らかいグリースとされる。
【０２３４】
例えば、混和ちょう度が１６０よりも小さい値のグリースは、硬いグリースとなる。そのため、スライドシャフト６１，６２に対する光ヘッド装置５０の軸受部３７，３８，３９、及び、ブッシュ２１，２２の潤滑性や摺動性の低下が懸念される。混和ちょう度が１６０よりも小さい値の硬いグリースが用いられた場合、光ヘッド装置５０がスライドシャフト６１，６２上を移動するときに、スライドシャフト６１，６２に対し、光ヘッド装置５０の軸受部３７，３８，３９、及び、ブッシュ２１，２２の摺動抵抗が増大する。混和ちょう度が４００よりも大きい値のグリースは、軟らかいグリースとなる。そのため、スライドシャフト６１，６２に対し光ヘッド装置５０が摺動されるときに、グリースが飛散されることが懸念される。
【０２３５】
光ディスク装置１００に用いられるグリースとして、例えば、「ＪＩＳ  Ｋ２２２０  ５．３」の試験法に基づく混和ちょう度が２２０〜３４０のグリースを用いることがより好ましい。混和ちょう度２２０〜３４０のグリース組成物が光ディスク装置１００に用いられていれば、光ディスク装置１００における潤滑特性、摺動特性が長期に亘って維持されると共に、グリースの飛散も抑制される。
【０２３６】
落下衝撃を緩和させる緩衝部１，２（図４〜図１０）が構成された光ヘッド装置５０を備える光ディスク装置１００は、例えば、ノート型ＰＣもしくはラップトップ型ＰＣ等の持運びが容易な小型ＰＣに装備可能とされる。
【０２３７】
ノート型ＰＣもしくはラップトップ型ＰＣ等の持運びの容易な小型ＰＣに装備可能とされた小型／軽薄化サイズの光ディスク装置１００に、落下衝撃を緩和させる緩衝部１，２を備えた光ヘッド装置５０が装備されていれば、ノート型ＰＣもしくはラップトップ型ＰＣ等の持運びの容易な小型ＰＣが不用意に落下され、これに起因して、持運びの容易な小型ＰＣに装備された光ヘッド装置５０を備える光ディスク装置１００に不具合が生じるということは、回避され易くなる。衝撃対策が行われた光ヘッド装置５０を備える小型／軽薄化サイズの光ディスク装置１００が、ノート型ＰＣもしくはラップトップ型ＰＣ等の持運びの容易な小型ＰＣに装備されていれば、小型ＰＣの落下に伴った光ヘッド装置５０を備える光ディスク装置１００の不具合発生は、回避され易くなる。
【０２３８】
上記光ヘッド装置５０いわゆる光学式ヘッド装置５０は、例えば、「ＣＤ−ＲＯＭ」，
「ＤＶＤ−ＲＯＭ」，「ＨＤ  ＤＶＤ−ＲＯＭ」，「ＢＤ−ＲＯＭ」などの読出し専用の光ディスクや、「ＣＤ−Ｒ」，「ＤＶＤ−Ｒ」，「ＤＶＤ＋Ｒ」，「ＨＤ  ＤＶＤ−Ｒ」，「ＢＤ−Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ−ＲＷ」，「ＨＤ  ＤＶＤ−ＲＡＭ」，「ＢＤ−ＲＥ」などの書込み／消去や書換え可能なタイプの光ディスクに対応したものとされる。
【０２３９】
光学式ヘッド装置（５０）の設計／仕様などにより、例えば光学式ヘッド装置（５０）は、「ＣＤ−ＲＯＭ」，「ＤＶＤ−ＲＯＭ」，「ＨＤ  ＤＶＤ−ＲＯＭ」，「ＢＤ−ＲＯＭ」などの読出し専用の光ディスクに対応し、「ＣＤ−Ｒ」，「ＤＶＤ−Ｒ」，「ＤＶＤ＋Ｒ」，「ＨＤ  ＤＶＤ−Ｒ」，「ＢＤ−Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ−ＲＷ」，「ＨＤ  ＤＶＤ−ＲＡＭ」，「ＢＤ−ＲＥ」などの書込み／消去や書換え可能なタイプの光ディスクに対し、非対応とされてもよい。
【０２４０】
また、上記光学式ヘッド装置５０は、例えば、コンピュータ、音響／映像機器、ゲーム機、車載機（何れも図示せず）などに組み付けられる光ディスク装置１００に装備される。光学式ヘッド装置５０を備える光ディスク装置１００は、例えば、ノート型ＰＣや、ラップトップ型ＰＣや、デスクトップ型ＰＣや、車載用コンピュータなどのコンピュータや、コンピュータゲーム機などのゲーム機や、ＣＤプレーヤ／ＣＤレコーダ、ＤＶＤプレーヤ／ＤＶＤレコーダなどの音響および／または映像機器などに装備可能なものとされる（何れも図示せず）。また、上記光学式ヘッド装置５０を備える光ディスク装置１００は、ＣＤ系光ディスクや、ＤＶＤ系光ディスクや、「Blu-ray Disc」系光ディスク等の複数のディスクに対応可能なものとされる。上記光学式ヘッド装置５０を備える光ディスク装置１００は、「ＣＤ」、「ＤＶＤ」、「ＨＤ−ＤＶＤ」、「Blu ray Disc」などの各種光ディスクに対応したコンピュータ、音響および／または映像機器、ゲーム機、車載機などに装備可能とされている（何れも図示せず）。
【０２４１】
本発明のヘッド装置またはディスク装置は、図示されたものに限定されるものではない。
【０２４２】
例えば、軸部材６１，６２の長手方向Ｄｒに沿った光ヘッド装置５０の走行方向Ｄｒにおいて、衝撃に対応させたい側に緩衝手段が設けられてもよい。例えば、図１〜図１０に示す光ヘッド装置５０において、緩衝部１または緩衝部２の何れか一方のみが光ヘッド装置５０に設けられてもよい。
【０２４３】
また、例えば第一緩衝部１（図３）を構成する可動ブッシュ２１の外側端面部２１ｃに、衝撃を吸収し易いゴムシート等の合成重合体系弾性体製のシート（図示せず）が接着または貼り付けられてもよい。また、例えば第二緩衝部２を構成する可動ブッシュ２２の外側端面部２２ｃに、衝撃を吸収し易いゴムシート等の合成重合体系弾性体製のシート（図示せず）が接着または貼り付けられてもよい。
【０２４４】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれる。
【図面の簡単な説明】
【０２４５】
【図１】本発明に係るヘッド装置の一実施の形態を示す平面図である。
【図２】図１の矢視Ａ側から眺めたヘッド装置を示す側面図である。
【図３】図１のＢ−Ｂ断面図である。
【図４】本発明に係るディスク装置の一実施の形態を示す平面図である。
【図５】図４の矢視Ｃ側から眺めたディスク装置を示す側面図である。
【図６】図４のＤ−Ｄ断面図である。
【図７】ディスク装置のヘッド装置が一側に寄せられた状態を示す平面図である。
【図８】ディスク装置のヘッド装置が一側に寄せられた状態を示す下面図である。
【図９】ディスク装置のヘッド装置が他側に寄せられた状態を示す平面図である。
【図１０】ディスク装置のヘッド装置が他側に寄せられた状態を示す下面図である。
【符号の説明】
【０２４６】
１                第一緩衝部（緩衝部）
２                第二緩衝部（緩衝部）
３                ハウジング
３ａ              一側表面部（面部）
３ｂ              他側表面部（面部）
３ｃ              ハウジング本体
５                ＯＢＬ（光学部材）
１１，１２        コイルばね（弾性部材）
１１ａ，１２ａ    第一端部（端部）
１１ｂ，１２ｂ    第二端部（端部）
２１，２２        ブッシュ（衝撃受け部材）
２１ａ，２２ａ    第一端面部（端面部）
２１ｂ，２２ｂ    第二端面部（端面部）
２１ｃ，２２ｃ    第三端面部（端面部）
２１ｄ，２２ｄ    摺接面部（面部）
２１ｅ，２２ｅ    外周面部（面部）
２１ｆ，２２ｆ    摺動面部（面部）
２３，２４        鍔（抜出し防止部）
２５，２６        ブッシュ本体（本体）
３１，３２，３９  軸受部
３１ａ，３２ａ    第一面部（面部）
３１ｂ，３２ｂ    第二面部（面部）
３１ｃ，３２ｃ    第三面部（面部）
３１ｄ，３２ｄ    摺接面部
３１ｅ，３２ｅ    内周面部
３３，３４        収容室（収容部）
３５，３６        内壁面部（内壁）
３７，３８        滑り軸受部（軸受部）
３７ａ，３８ａ，３９ａ        摺動面部
４０              摺接部材
４１              本体部
４３              連結部（弾性力発生部）
４５ａ            摺接板部
４５ｂ            突出部
５０              光ヘッド装置（ヘッド装置）
５１              光ヘッド主体部（ヘッド主体部）
６１，６２        スライドシャフト（軸部材）
６１ａ，６２ａ    表面部
７１，７２        ストッパ（停止部材）
７１ｃ，７２ｃ    停止面部
８０              ステッピングモータ組立体（モータ組立体）
８２              ステッピングモータ（モータ）
８４              リードスクリュー
８５ａ            螺旋帯状表面部（表面部）
８５ｂ            螺旋状溝部（溝部）
８６              ブラケット（取付具）
９０              ドライブ装置
９１              回路基板（基板）
９３              スピンドルモータ（モータ）
９５              ターンテーブル
９７              軸
１００            光ディスク装置（ディスク装置）
１１０            シャーシ（基盤）
１１１            基壁
１１２            上面部
１１３            下面部
１１５            開口部
１１６，１１７    側壁
Ｄ１，Ｄ２        圧縮方向
Ｄｆ              フォーカス方向（方向）
Ｄｒ              長手方向（方向）
Ｄｔ              タンジェンシャル方向（方向）
【図１】
2008135154.tif 000003
【図２】
2008135154.tif 000004
【図３】
2008135154.tif 000005
【図４】
2008135154.tif 000006
【図５】
2008135154.tif 000007
【図６】
2008135154.tif 000008
【図７】
2008135154.tif 000009
【図８】
2008135154.tif 000010
【図９】
2008135154.tif 000011
【図１０】
2008135154.tif 000012